(57)【特許請求の範囲】
【請求項１】
基材上の少なくとも一部に印刷画像を備え、
前記印刷画像は、明暗フリップフロップ性又はカラーフリップフロップ性の少なくともどちらか一方の特性、かつ、盛り上がりを有する蒲鉾状画線が複数配置された蒲鉾状画線群の上に、正反射時において前記蒲鉾状画線群の色彩とは異なる色彩を有する潜像画線群が積層されて成り、
前記潜像画線群は、基準位置を中心に非反転画線群と反転画線群に区分けされ、
前記非反転画線群は、基画像を分割したフレーム内画像を所定の縮率で圧縮した非反転画線が複数配置されて成り、
前記反転画線群は、前記基画像を分割したフレーム内画像をミラー反転して前記所定の縮率で圧縮した反転画線が複数配置されて成り、
前記基材を正反射光下で観察した場合、前記基画像が潜像画像として出現し、その観察角度から角度を変化させると、前記潜像画像が前記基準位置を中心に拡大又は縮小して視認可能なことを特徴とする潜像印刷物。
【請求項２】
前記所定の縮率が、前記潜像画線ごとに異なっていることを特徴とする請求項１記載の潜像印刷物。
【請求項３】
前記所定の縮率が、前記潜像画線が前記基準位置から離れるに従って小さくなることを特徴とする請求項２記載の潜像印刷物。
【請求項４】
基材上の少なくとも一部に印刷画像を備え、
前記印刷画像は、明暗フリップフロップ性又はカラーフリップフロップ性の少なくともどちらか一方の特性、かつ、盛り上がりを有する蒲鉾状画線が複数配置された蒲鉾状画線群の上に、正反射時において前記蒲鉾状画線群の色彩とは異なる色彩を有する潜像画線群が積層されて成り、
前記潜像画線群は、基準位置を中心に第一の潜像画線群と第二の潜像画線群に区分けされ、
前記第一の潜像画線群は、基画像を分割したフレーム内画像を所定の縮率で圧縮した第一の非反転画線と、前記基画像を分割したフレーム内画像をミラー反転して前記所定の縮率で圧縮した第一の反転画線から成る第一の潜像画線セットが複数配置されて成り、
前記第二の潜像画線群は、前記基画像を分割したフレーム内画像をミラー反転して前記所定の縮率で圧縮した第二の反転画線と、前記基画像を分割したフレーム内画像を前記所定の縮率で圧縮した第二の非反転画線から成る第二の潜像画線セットが複数配置されて成り、
前記基材を正反射光下で観察した場合、前記基画像が潜像画像として出現し、その観察角度から角度を変化させると、前記潜像画像が前記基準位置を中心に拡大又は縮小して視認可能なことを特徴とする潜像印刷物。
【請求項５】
前記所定の縮率が、前記潜像画線ごとに異なっていることを特徴とする請求項４記載の潜像印刷物。
【請求項６】
前記所定の縮率が、前記潜像画線が前記基準位置から離れるに従って小さくなることを特徴とする請求項５記載の潜像印刷物。
【発明の詳細な説明】
【技術分野】
【０００１】
本発明は、偽造防止効果を必要とする銀行券、パスポート、有価証券、身分証明書、カード、通行券等のセキュリティ印刷物の分野において、光が入射することで潜像画像が出現し、光の入射角度の変化に応じて潜像画像が特定の方向に拡大・縮小して形状が変化する視覚効果を備えた潜像印刷物に関する。
【背景技術】
【０００２】
銀行券、パスポ−ト、有価証券、身分証明書等に代表されるセキュリティ印刷物には、複製や偽造を防止するために、偽造防止技術が必要とされている。また、偽造防止技術の中でも、すかしやホログラム等に代表されるように、道具を必要とせず、印刷物を手にした全ての人が真偽判別に利用できる偽造防止技術が特に必要とされている。
【０００３】
この中でも、画像が動いて見える、いわゆる「動画的な視覚効果」を備えた偽造防止技術が特に注目されている。画像が動いて見える動画的な視覚効果（以下、「動画効果」という。）は、人目を惹きやすく、また偽造することが困難であることから、近年、セキュリティ印刷物の真偽判別要素として多く用いられる傾向にある。
【０００４】
動画効果を実現可能な公知技術としてパララックスバリア、レンチキュラー、ホログラム等を用いた技術が存在し、これらの技術が備える、わずかな角度変化で画像を変化させられるという特徴を活かして、画像が立体的に視認できる効果や、動画効果を備えたセキュリティ印刷物はすでに広く存在している。
【０００５】
しかし、一般的なパララックスバリアやレンチキュラーを用いて動画効果を実現した場合、クリア層かレンズが必要となることから、基材がほぼプラスティックに限定される上、印刷物には一定の厚み（少なくとも１５０μｍ程度）が必要となり、一般に流通する印刷物に許される厚さを超えるため、厚さに制限のある印刷物には用いることができず、一定の厚みが許されるプラスティック製カード以外には採用されない傾向にある。
【０００６】
また、ホログラムは極めて薄く仕上げることは可能であり、銀行券を代表とする各種セキュリティ印刷物に用いられているものの、一般的な印刷物と比較すると、製造工程の複雑さと高い製造コストに大きな問題がある。
【０００７】
以上の問題を解決するため、本出願人は、高い光沢を有し盛り上がりを有する蒲鉾状の画線に光が入射した場合に、盛り上がりを有する蒲鉾状の画線のうち、入射する光と法線を成す面のみが強く光を反射する現象を利用した、立体効果及び動画効果を形成することが可能な印刷技術をすでに出願している（例えば、特許文献１、特許文献２及び特許文献３参照）。
【０００８】
特許文献１から特許文献３までの従来技術は、インテグラルフォトグラフィと呼ばれる立体画像の撮像方法によって得られる画像を画像処理によって形成したもので、優れた動画効果を実現できる技術である。この技術は、パララックスバリアやレンチキュラーの１０分の１程度の厚さで形成することが可能であり、製造技術も従来からある製版技術と印刷技術を活用することで比較的複雑な画像を表現することができ、かつ、一般的な印刷物と同じコストで動画効果を備えた印刷画像を形成することができるという優れた特徴を有する。
【先行技術文献】
【特許文献】
【０００９】
【特許文献１】特許第５２００２８４号公報
【特許文献２】特開２０１４−１５１５５７号公報
【発明の概要】
【発明が解決しようとする課題】
【００１０】
特許文献１及び特許文献２の従来技術は、出現した潜像画像（基画像）の動きは、蒲鉾状画線の画線方向と直交する方向のいずれか一方の方向に画像全体が動く効果しか形成できず、動き方向が二つの方向に完全に限定され、動きのバリエーションが乏しく、動きのデザイン上の制約になっていた。
【００１１】
そこで、本発明は、視認される画像が１方向に限定されず、特定の位置を中心に各々別々の方向に動いて見えることで、画像が拡大して視認できる効果を奏する潜像印刷物を提供する。
【課題を解決するための手段】
【００１２】
本発明は、基材上の少なくとも一部に印刷画像を備え、印刷画像は、明暗フリップフロップ性又はカラーフリップフロップ性の少なくともどちらか一方の特性、かつ、盛り上がりを有する蒲鉾状画線が複数配置された蒲鉾状画線群の上に、正反射時において蒲鉾状画線群の色彩とは異なる色彩を有する潜像画線群が積層されて成り、潜像画線群は、基準位置を中心に非反転画線群と反転画線群に区分けされ、非反転画線群は、基画像を分割したフレーム内画像を所定の縮率で圧縮した非反転画線が複数配置されて成り、反転画線群は、基画像を分割したフレーム内画像をミラー反転して所定の縮率で圧縮した反転画線が複数配置されて成り、基材を正反射光下で観察した場合、基画像が潜像画像として出現し、その観察角度から角度を変化させると、潜像画像が基準位置を中心に拡大又は縮小して視認可能なことを特徴とする潜像印刷物である。
【００１３】
本発明は、基材上の少なくとも一部に印刷画像を備え、印刷画像は、明暗フリップフロップ性又はカラーフリップフロップ性の少なくともどちらか一方の特性、かつ、盛り上がりを有する蒲鉾状画線が複数配置された蒲鉾状画線群の上に、正反射時において蒲鉾状画線群の色彩とは異なる色彩を有する潜像画線群が積層されて成り、潜像画線群は、基準位置を中心に非反転画線群と反転画線群に区分けされ、非反転画線群は、基画像を分割したフレーム内画像を所定の縮率で圧縮した非反転画線と、基画像を分割したフレーム内画像をミラー反転して所定の縮率で圧縮した反転画線から成る第一の潜像画線セットが複数配置されて成り、反転画線群は、基画像を分割したフレーム内画像をミラー反転して所定の縮率で圧縮した反転画線と、基画像を分割したフレーム内画像を所定の縮率で圧縮した非反転画線から成る第二の潜像画線セットが複数配置されて成り、基材を正反射光下で観察した場合、基画像が潜像画像として出現し、その観察角度から角度を変化させると、潜像画像が基準位置を中心に拡大又は縮小して視認可能なことを特徴とする潜像印刷物である。
【００１４】
また、本発明の潜像印刷物において、基画像を分割したフレーム内画像を圧縮する所定の縮率は、潜像画線ごとに異なっていることを特徴とする。
【００１５】
さらに、本発明の潜像印刷物において、基画像を分割したフレーム内画像を圧縮する所定の縮率は、潜像画線が基準位置から離れるに従って小さくなることを特徴とする。
【発明の効果】
【００１６】
本発明における潜像印刷物において、一つの基画像は非反転画線群と反転画線群のミラー反転の有無の異なる少なくとも二種類の潜像画線よって構成されることから、正反射光下で潜像画像として基画像が出現した場合、基準位置を中心として基画像が拡大及び又は縮小して見える。
【図面の簡単な説明】
【００１７】
【図１】本発明の潜像印刷物を示す。
【図２】本発明の潜像印刷物の構成の概要を示す。
【図３】本発明の蒲鉾状画線群を示す。
【図４】本発明の潜像画線群を示す。
【図５】本発明の潜像画線群の構成を示す。
【図６】本発明の非反転画線の作製方法を示す。
【図７】本発明の非反転画線群の作製方法を示す。
【図８】本発明の反転画線の作製方法を示す。
【図９】本発明の反転画線群の作製方法を示す。
【図１０】本発明の蒲鉾状画線群と潜像画線の重なり合いの位置関係を示す。
【図１１】本発明の潜像印刷物の効果を示す図である。
【図１２】本発明の潜像印刷物を示す図である。
【図１３】本発明の潜像印刷物の構成の概要を示す図である。
【図１４】本発明の潜像画線群を示す図である。
【図１５】本発明の潜像画線群の構成を示す図である。
【図１６】本発明の潜像画線セットの構成を示す図である。
【図１７】本発明の反転潜像画線の作製方法を示す図である。
【図１８】本発明の反転潜像画線群の作製方法を示す図である。
【図１９】本発明の非反転潜像画線の作製方法を示す図である。
【図２０】本発明の非反転潜像画線群の作製方法を示す図である。
【図２１】本発明の蒲鉾状画線群と潜像画線群の重なり合いの位置関係を示す図である。
【図２２】本発明の潜像印刷物の効果を示す図である。
【図２３】本発明の蒲鉾状画線群と潜像画線群の重なり合いの位置関係を示す図である。
【図２４】本発明の蒲鉾状画線群と潜像画線群の重なり合いの位置関係を示す図である。
【図２５】本発明の潜像印刷物の効果を示す図である。
【図２６】本発明の潜像印刷物を示す図である。
【図２７】本発明の潜像印刷物の構成の概要を示す図である。
【図２８】本発明の蒲鉾状画線群の構成を示す図である。
【図２９】本発明の画線方向と画線方向と直交する方向の説明図を示す図である。
【図３０】本発明の蒲鉾状画線群の一例を示す図である。
【図３１】本発明の蒲鉾状画線群の一例を示す図である。
【図３２】本発明の潜像画線群の構成を示す図である。
【図３３】本発明の潜像画線群の構成を示す図である。
【図３４】本発明の非反転画線の作製方法を示す図である。
【図３５】本発明の反転画線の作製方法を示す図である。
【図３６】本発明の蒲鉾状画線群と潜像画線群の重なり合いの位置関係を示す図である。
【図３７】本発明の潜像印刷物の効果を示す図である。
【図３８】本発明の潜像印刷物の効果を示す図である。
【図３９】比較例における従来の技術の効果を示す図である。
【図４０】本発明の潜像印刷物の作製に用いられる装置の構成を示すブロック図である。
【図４１】本発明の潜像印刷物の作製方法及び作製プログラムにおける手順を示すフローチャートである。
【図４２】基画像圧縮情報生成工程の詳細を示すフローチャートである。
【図４３】画像内の位置を表すための座標の定義を示す図である。
【図４４】蒲鉾状画線及び中心線を示す図である。
【図４５】再近傍中心位置取得位置Ｐの定め方の一例を示す図である。
【図４６】再近傍中心位置取得位置Ｐの定め方の一例を示す図である。
【図４７】再近傍中心位置取得位置Ｐと中心線上のうち最も近い位置との対応の一例を示す図である。
【図４８】基画像圧縮処理工程の詳細を示すフローチャートである。
【図４９】蒲鉾状画線の画線中心から基準位置に近い側と遠い側の一例を示す図である。
【図５０】基画像圧縮処理内で、基画像内の位置と潜像画線群画像内の位置との対応の一例を示す図である。
【発明を実施するための形態】
【００１８】
本発明を実施するための形態について、図面を参照して説明する。しかしながら、本発明は、以下に述べる実施するための形態に限定されるものではなく、特許請求の範囲記載における技術的思想の範囲内であれば、その他のいろいろな実施の形態が含まれる。
【００１９】
（第一の実施の形態）
本発明における第一の実施の形態について、図１から図１１を用いて説明する。第一の実施の形態における潜像印刷物は、蒲鉾状画線群が全て直線の蒲鉾状画線から成り、加えて潜像画線群を構成する画線が、一種類の非反転画線又は反転画線からなる形態について説明する。
【００２０】
図１（ａ）に本発明の潜像印刷物（１）を示し、図１（ｂ）には潜像印刷物（１）のＡ−Ａ’ラインにおける断面図（略図）を示す。潜像印刷物（１）は、基材（２）上に、印刷画像（３）を備える。基材（２）は、印刷画像（３）が形成できれば、紙であってもプラスティックであっても、金属等であっても良く、材質は問わない。また、印刷画像（３）は、透明であっても着色されていても良く、その色彩は問わない。
【００２１】
図２に、印刷画像（３）の構成の概要を示す。印刷画像（３）は、蒲鉾状画線群（４）と、潜像画線群（５）が重なって形成されてなる。印刷画像（３）の積層構造は、蒲鉾状画線群（４）の上に潜像画線群（５）が重なる構造を有してなる。
【００２２】
まず、蒲鉾状画線群（４）について説明する。第一の実施の形態において蒲鉾状画線群（４）は、図３に示すように、直線状の蒲鉾状画線（６）によって万線状に構成されてなる。本発明において、「万線状」とは、直線や曲線、円等の画線方向を有した画線が互いに重なり合わないように任意のピッチで画線方向と直交する方向に一定の規則をもって複数配列されている状態をいう。第一の実施の形態において、第一の画線方向（図中Ｓ１方向）を有する直線である蒲鉾状画線（６）は、任意の画線幅（Ｗ１）を有して、特定のピッチ（Ｐ１）で画線方向と直交する方向である、第二の方向（図中Ｓ２方向）に連続して配置されてなる。蒲鉾状画線（６）は、基材（２）面から垂直の高さ方向に一定の盛り上がりを必要とする。盛り上がりのある蒲鉾状画線（６）の表面形状は蒲鉾のようになだらかな曲面で構成されている必要がある。
【００２３】
以上のような構成の蒲鉾状画線群（４）を、印刷画線に盛り上がりを形成できる印刷方式によって形成する。出現する潜像画像に一定の視認性を確保するためには、蒲鉾状画線群（４）の盛り上がり高さは３μｍ以上が必要であるため、スクリーン印刷や凹版印刷等で形成することが望ましいが、グラビア印刷やフレキソ印刷、凸版印刷等であってもこの程度の画線の盛り上がり高さを形成することは可能である。また、盛り上がりの高さの上限に関しては、特に制限はないが、大量に積載した場合の安定性や耐摩擦性、流通適性等を考慮して１ｍｍ以下とする。
【００２４】
また、蒲鉾状画線群（４）は、明暗フリップフロップ性又は、カラーフリップフロップ性を備える必要がある。明暗フリップフロップ性とは、正反射した場合に明度が上昇する特性を指し、カラーフリップフロップ性とは、色相が変化する特性を指す。すなわち、蒲鉾状画線群（４）は、光が入射した場合に、明度や色相が変化することで、色彩が大きく変化する特性を有する必要がある。色彩の変化の大きさが大きければ大きいほど、出現する潜像画像の視認性は高くなる。
【００２５】
前述のような盛り上がりを有する蒲鉾状画線群（４）に明暗フリップフロップ性を付与する方法の一例としては、高光沢なインキ樹脂を用いたり、インキ中に金属顔料を混合したりすることで容易に実現することができる。カラーフリップフロップ性を付与できる機能性材料の一例としては、パール顔料やコレステリック液晶、ガラスフレーク顔料、金属粉顔料や鱗片状金属顔料、ＯＶＩ（Ｏｐｔｉｃａｌ Ｖａｒｉａｂｌｅ Ｉｎｋ）等が考えられる。
【００２６】
第一の実施の形態では直線状の蒲鉾状画線（６）が複数配置されて蒲鉾状画線群（４）を形成した例で説明するが、これに限定されるわけではない。後記する第三の実施の形態において具体的に説明するが、曲線や円等で構成しても良い。
【００２７】
続いて、潜像画線群（５）について説明する。図４に示すように、潜像画線群（５）は、基準位置（７）（蒲鉾状画線群が直線の場合、基準位置が点でなく、連続した線の場合には基準位置（７）を基準線（７）と呼ぶ）を中心に、非反転画線群（５Ａ）及び反転画線群（５Ｂ）に大きく区分けされる。なお、潜像画線群（５）を構成する画線は、全て非反転画線群（５Ａ）又は反転画線群（５Ｂ）であるが、特に区別して考える必要がない場合、本明細書においては、単に潜像画線（８）と呼ぶ。
【００２８】
図５に、非反転画線群（５Ａ）及び反転画線群（５Ｂ）の構成を示す。非反転画線（８Ａ）及び反転画線（８Ｂ）からなる潜像画線（８）は、蒲鉾状画線群（４）と同じ規則性を有して万線状に配置されてなる。その規則性について具体的には、それぞれ同じ画線幅（Ｗ１）の蒲鉾状画線群と同じ画線方向（図中Ｓ１）を有する非反転画線（８Ａ）及び反転画線（８Ｂ）が、蒲鉾状画線群（４）と同じピッチ（Ｐ１）、かつ、同じ画線方向（図中Ｓ２方向）に連続して配置されてなる。それぞれの非反転画線（８Ａ）及び反転画線（８Ｂ）は、隣り合うそれぞれの画線同士でわずかずつ形状が異なる。
【００２９】
それぞれの非反転画線（８Ａ）及び反転画線（８Ｂ）には、それぞれ対となる蒲鉾状画線（６）が存在し、それぞれの非反転画線（８Ａ）及び反転画線（８Ｂ）と対となる蒲鉾状画線（６）は、その形状が略等しい。適正な位置関係においては、非反転画線（８Ａ）及び反転画線（８Ｂ）と対となる蒲鉾状画線（５）は重なり合う（蒲鉾状画線（５）の上に潜像画線（８Ａ、８Ｂ）が形成される）。ここでいう非反転画線（８Ａ）及び反転画線（８Ｂ）の形状とは、画線自体の形状を指すのではなく、図５に示した画線幅（Ｗ１）内に存在している空白部分を含めた形状を指す。
【００３０】
非反転画線（８Ａ）及び反転画線（８Ｂ）の作成方法とその構成を説明する。まず、非反転画線（８Ａ）の作製方法及び構造について説明する。図６（ｆ）にある任意の非反転画線（８Ａｉ）の作製方法の一例を示す。まず、潜像画像として出現させたいと作製者が意図する画像を用意する。第一の実施の形態においては、図６（ａ）に示した曲万線で構成された彩紋を用いる。この画像（９）が非反転画線群（８Ａ）及び反転画線群（８Ｂ）における全ての潜像画線の基となるため、基画像（９）と呼ぶ。次に、拡大又は縮小の動画効果の動きの方向の中心となる位置、すなわち動きの基準位置（基準線（７））を図６（ａ）に示すように設定する。第一の実施の形態においては、動画効果が生じた場合、この基準線（７）を中心として出現した基画像（９）が拡大したり、縮小したりする。
【００３１】
したがって、基画像（９）は、基準線（７）を境に、左側の第１の領域と右側の第２の領域に区分けされ、後述する非反転画線群（８Ａ）と反転画線群（８Ｂ）の基となる。
【００３２】
続いて、印刷画像（３）中において基画像（９）を出現させる位置をおおまかに決め、図６（ｂ）のように基画像（９）の下に配される任意の蒲鉾状画線（６Ａｉ）との位置関係を決定する。そして、図６（ｃ）に示すように、画線と平行方向の高さ（Ｌ）（Ｌは基画像（９）の高さよりも大きな値）と、画線と直交する方向の幅（Ｈ）のフレーム（１０）を設定し、任意の蒲鉾状画線（６Ａｉ）の中心にフレーム（１０）の中心を据えて、フレーム内に納まる基画像（９）のみを図６（ｄ）のように取り出す。この取り出された画像は、フレーム内画像（９Ａｉ）と呼ぶ。この取り出したフレーム内画像（９Ａｉ）を蒲鉾状画線（６Ａｉ）の中心に向かって、特定の縮率で一定の幅（Ｗ２）に圧縮する（図６（ｅ））。これによって非反転画線（８Ａｉ）の一つができあがる（図６（ｆ））。
【００３３】
図６では任意の一つの蒲鉾状画線（６Ａｉ）に対応した一つの非反転画線（８Ａｉ）の作製方法を示したが、図７に示すように蒲鉾状画線群（４）の中の全ての蒲鉾状画線（６ｉ−１０、・・・、６ｉ、・・・、６ｉ＋１０）について、対となる非反転画線（８Ａｉ-１０、・・・、８Ａｉ、・・・、８Ａｉ＋１０）を作製することで、非反転画線群（５Ａ）を作製することができる。この方法で作製した非反転画線群（５Ａ）には、基画像（９）がそれぞれの蒲鉾状画線（６ｉ）の中心から画線の直交方向に約フレームの幅（Ｈ）の距離だけ移動する圧縮された画像が含まれる。
【００３４】
次に、反転画線群（５Ｂ）の作製方法及び構造について説明する。図８に反転画線（８Ｂｉ）の作製方法の一例を示す。本発明の潜像印刷物（１）においては、非反転画線群（５Ａ）の基画像（９）と反転画線群（５Ｂ）の基画像（９）は同じ画像である必要がある。したがって、反転画線群（５Ｂ）に対する基画像（９）も図８（ａ）に示す曲万線の彩紋である。また、印刷画像（３）中の基画像（９）の配置位置も非反転画線群（５Ａ）と反転画線群（５Ｂ）とで変更してはならない。第一の実施の形態においては、同じ基画像（９）を、同じ位置に配置して、それぞれ非反転画線群（５Ａ）と反転画線群（５Ｂ）を作製する。
【００３５】
まず、図８（ｂ）のように基画像（９）の下に配される任意の蒲鉾状画線（６Ｂｉ）との位置関係を決定する。非反転画線（８Ａｉ）の作製に用いたのと同じ大きさのフレーム（１０）を任意の蒲鉾状画線（６Ｂｉ）の中心に据えて（図８（ｃ））、フレーム（１０）の中に納まる基画像（９）のみを図８（ｄ）のように取り出してフレーム内画像（９Ｂｉ）とする。この取り出したフレーム内画像（９Ｂｉ）を画像の中心を軸にして画線と直交する方向にミラー反転する（図８（ｅ））。この工程の有無が非反転画線（９Ａ）と反転画線（９Ｂ）の違いである。このミラー反転したフレーム内画像（９ＢｉＲ）を蒲鉾状画線（６Ｂｉ）の中心に向かって、特定の縮率で一定の幅（Ｗ２）に圧縮する（図８（ｆ））。これによって反転画線（８Ｂｉ）の一つが完成する（図８（ｇ））。
【００３６】
図８では、任意の一つの蒲鉾状画線（６ｉ）に対応した一つの反転画線（８Ｂｉ）の作製方法を示したが、図９に示すように蒲鉾状画線群（４）の中の全ての蒲鉾状画線（６ｉ−１０、・・・、６ｉ、・・・、６ｉ＋１０）について、対となる反転画線（８Ｂｉ−１０、・・・、８Ｂｉ、・・・、８Ｂｉ＋１０）を作製することで、反転画線群（５Ｂ）を作製することができる。非反転画線群（５Ａ）と同様に、この方法で作製した反転画線群（５Ｂ）にも、基画像（９）がそれぞれの蒲鉾状画線（６ｉ）の中心から画線の直交方向に約フレームの幅（Ｈ）の距離だけ移動する圧縮された画像が含まれる。ただし、非反転画線群（５Ａ）とは移動方向が逆である。
【００３７】
以上のように、一つの基画像（９）から二種類の潜像画線（非反転画線（８Ａ）と反転画線（８Ｂ））を作り出す。第一の実施の形態においては、基画像（９）の下に蒲鉾状画線（６）が存在する部分に対して基準線（７）との位置関係に応じて全ての潜像画線（８）を作り出す必要があり、フレーム（１０）の移動範囲とは、基画像（９）の横幅＋フレーム幅Ｈの範囲となる。取り出したフレーム内画像をミラー反転するか否か（非反転画線（８Ａ）とするか、反転画線（８Ｂ）とするか）は、基準線（７）をフレーム（１０）の中心が越えたか、越えていないかが基準となる。
【００３８】
非反転画線（８Ａ）と反転画線（８Ｂ）の違いは、取り出した画像をミラー反転する工程の有無にある。ミラー反転されることなく作製された非反転画線（８Ａ）の集合である非反転画線群（５Ａ）と、ミラー反転されて作製された反転画線（８Ｂ）の集合である反転画線群（５Ｂ）とは、基画像（９）が約フレームの幅（Ｈ）の距離だけ画線方向と直交する方向に移動するだけの圧縮された画像が含まれるが、その移動方向は正反対であり、画像が出現した場合に動きの方向のみが異なる。
【００３９】
縮率の値は、基画像（９）をどの程度圧縮したかを示す値であり、この値が小さければ小さいほど、一つ一つの潜像画線（８）に含まれる基画像（９）の情報量が多いため、正反射光下で出現する基画像（９）の動きの幅が大きくなる。その一方、この値が小さければ小さいほど再生される基画像（９）は不鮮明になる傾向にあるため、この数値の設定にあたっては動画効果と出現する基画像（９）の鮮明さの両方を考慮して決定する必要がある。この数値は基本的に１より小さい値とすれば、本発明の効果自体は生じる。仮に、一般的なオフセット印刷やフレキソ印刷等によって潜像画像群（５）を形成する場合には、この数値は０．００５以上、０．５以下の数値を用いることが望ましい。
【００４０】
非反転画線（８Ａ）の縮率（Ｗ２／Ｈ）と反転画線（８Ｂ）の縮率（Ｗ２／Ｈ）の値は基本的には同じでも変更しても良いが、基画像（９）をスムーズに拡大又は縮小させたい場合には、一定の規則性を持たせることが望ましい。最も望ましい規則性とは具体的に、それぞれの潜像画線（８）のうち、基準線（７）からの距離の絶対値が等しい非反転画線（８Ａ）と反転画線（８Ｂ）の縮率の値を同じ値とすることである。図７と図９の三つの潜像画線（８）の例でいうと、基準線（７）からの距離が最も遠い非反転画線（８Ａｉ−１０）と反転画線（８Ｂｉ＋１０）の縮率は同じであることが望ましく、中間の位置にある非反転画線（８Ａｉ）と反転画線（８Ｂｉ）の縮率は同じであることが望ましく、最も近い非反転画線（８Ａｉ＋１０）と反転画線（８Ｂｉ−１０）の縮率は同じであることが望ましい。また、その場合、基準線（７）に、より近いそれぞれの潜像画線（８）の縮率は大きい値とし、基準線（７）から、より遠い潜像画線（８）の縮率は相対的に小さい値とした場合、拡大する効果においては基準線（７）から離れるに従って基画像（９）がより早く広がる視覚効果が生まれ、縮小する効果においては基準線（７）に近づくに従って基画像（９）がゆっくりと縮む視覚効果が生まれ、拡大縮小の効果をより認識しやすくなるため、望ましい。
【００４１】
仮に、前述の例とは逆に、基準線（７）に、より近いそれぞれの潜像画線（８）の縮率は小さい値とし、基準線（７）から、より遠い潜像画線（８）の縮率は相対的に大きい値とした場合、縮率の値によっては基準線（７）の中心部において非反転画線群（５Ａ）から生じた基画像（９）と反転画線群（５Ｂ）から生じた基画像（９）が離れ、間に空間が生じたり、二つの画像が重なり合ったりしてしまう場合があることから、このような構成は、望ましくない。
【００４２】
第一の実施の形態ではＷ２はいずれも同じ値を有するため、縮率（Ｗ２／Ｈ）を変えることはフレームの幅（Ｈ）の値を変えることと同義である。すなわち、縮率を小さくするためには、基準線（７）から離れるに従ってフレームの幅（Ｈ）を大きくすれば良い。
【００４３】
続いて、非反転画線群（５Ａ）と反転画線群（５Ｂ）の二つの潜像画線群を重ね合わせて、最終的な潜像を構成する画像となる潜像画線群（５）を作製する。非反転画線群（５Ａ）と反転画線群（５Ｂ）をそれぞれの画線同士が重なり合わないように合成することで、潜像画線群（５）が作製できる。第一の実施の形態のような潜像画線群（５）が一種類の画線からなる単純な構成の場合、単に非反転画線群（５Ａ）のうちの最も基準線（７）に近い非反転画線（８Ａｎ）と、反転画線群（５Ｂ）のうちの最も基準線（７）に近い非反転画線（８Ｂ１）とを特定のピッチ（Ｐ１）で隣り合わせて配置すれば良い。
【００４４】
以上のようにそれぞれの非反転画線（８Ａ）と、反転画線（８Ｂ）を作製し、最終的に潜像画線群（５）を作製するには市販の画像処理ソフトを用いれば良い。あるいは、前述の処理をコンピュータ上で行うプログラムを作製して潜像画線群（５）を作製しても良い。
【００４５】
潜像画線群（５）には盛り上がりは必須ではなく、このため、如何なる印刷方式で形成しても良い。生産性を考えれば、オフセット印刷で形成することが最も好ましい。正反射光下で潜像化されていた基画像（９）を可視化するために、潜像画線群（５）は正反射時に蒲鉾状画線群（４）との間に色差が生じる必要があり、少なくとも反射時の色彩が蒲鉾状画線（６）の正反射時の色彩と異なっている必要がある。
【００４６】
また、潜像画線群（５）は、蒲鉾状画線群（４）の上に重ねて形成されるために、潜像画線群（５）の下の蒲鉾状画線群（４）に入射する光を遮断し、正反射光下で生じる蒲鉾状画線群（４）の色彩変化を抑制する働きを成す。したがって、潜像画線群（５）が重なっているか否かによって、蒲鉾状画線群（４）は、正反射時において、色彩に、より大きな違いが生じるため、潜像画像の視認性をより高めるためには、潜像画線群（５）は、高い光遮断性を備えていることが望ましい。
【００４７】
そのため、潜像画線群（５）を印刷で形成する場合には、低光沢なマットインキを用いることが望ましい。また、これらのインキにチタンのような光遮断性の高い機能性材料を配合すると、より高い効果を得ることができる。
【００４８】
さらに、潜像画線群（５）は、拡散反射光下では不可視であることが望ましいことから、無色透明又は半透明程度の色彩であることが望ましい。ただし、印刷工程等における品質管理を容易にするために、わずかに着色顔料を配合してインキを着色したり、透明インキに蛍光顔料を配合したりして、ＵＶランプを用いて脱刷や印刷不良等の異常を管理することもできる。
【００４９】
また、潜像画線群（５）は、版面を用いる印刷機で形成するだけでなく、プリンター等のデジタル印刷機を用いて形成しても良い。また、潜像画線群（５）を、印刷により蒲鉾状画線群（４）の上に形成するのではなく、蒲鉾状画線（６）を切削して蒲鉾状画線（６）自体が潜像画線（８）の形状を有することもできる。このような切削は、レーザー加工機を用いることで容易に実施することができる。レーザーが照射された蒲鉾状画線群（４）は、多くの場合、明暗フリップフロップ性やカラーフリップフロップ性が失われるか、又は大きく低下するため、逆に本発明においては、潜像画線群（５）に必要となる低光沢な特性を付与することができる。これらのプリンターやレーザー加工機を用いる場合には、一枚一枚異なる情報を与える可変情報を容易に付与できるという特徴がある。
【００５０】
本発明の潜像印刷物（１）は、蒲鉾状画線群（４）の上に潜像画線群（５）を重ね合わせて形成するが、この二つの画像の重ね合わせの位置関係について説明する。図１０は、蒲鉾状画線群（４）と潜像画線群（５）の二つの画像の重なり合いの適正な位置関係を示す。潜像印刷物（１）において、蒲鉾状画線群（４）の上に潜像画線群（５）が重なり合う必要がある。最も望ましい位置関係は、図１０に示すように、蒲鉾状画線（６）の上にそれぞれ対を成す潜像画線（８）が完全に重なり合った位置関係である。つまり、図１０の断面拡大図に示すように、それぞれの蒲鉾状画線（６Ｂｉ−１、６Ｂｉ、６Ｂｉ＋１、６ｉ＋２）に対してそれぞれ対を成す関係にある潜像画線（８Ｂｉ−１、８Ｂｉ、８Ｂｉ＋１、８ｉ＋２）がそれぞれ重なり合う関係とする必要がある。
【００５１】
蒲鉾状画線群（４）と潜像画線群（５）の位置関係については、印刷時の刷り合わせの変動（所謂、印刷時のアバレ）によっては適正な位置関係から外れる可能性がある。このような場合でも、それぞれ対を成す関係の蒲鉾状画線（６）と潜像画線（８）が、少なくとも一部に重なった状態であれば本発明の効果は発揮されるが、基画像（９）の大きさが連続的に変化するのではなく、多くの場合、ある観察角度において突然別の大きさに変わるという問題（以下、この問題を「ジャンプ現象」と呼ぶ）が発生する。このジャンプ現象を解消するための画線構成については、第二の実施の形態で後述する。
【００５２】
続いて、図１０の蒲鉾状画線群（４）と潜像画線群（５）の適正な重なり合いの位置関係で構成された本発明の潜像印刷物（１）の効果について説明する。印刷画像（３）に強い光が入射しない拡散反射光下においては、潜像画像である基画像（９）は不可視であり、単に印刷画像（３）のみが視認できる（図示せず）。一方の正反射光下においては、彩紋を表した基画像（９）が光のコントラストによって出現する。
【００５３】
図１１（ａ）、（ｂ）、（ｃ）に示すように、入射する光に対して潜像印刷物（１）の傾きを変えて観察することによって、印刷画像（３）中の基画像（９）の中心位置は変わらずに大きさが変化する。この例では潜像印刷物（１）を傾け角度が大きくなるに従って、基画像（９）が画線と直交する方向に徐々に広がっているように見える。また、逆に傾ける方向を逆転させることによって、徐々に縮んでいるように見える。一つの基画像（９）が広がったり、縮んだりして見える効果は、従来技術では、なし得なかった効果であり、本発明の最大の特徴である。
【００５４】
以上のような効果が生じる原理について説明する。例えば、図１１において、潜像印刷物（１）のＡ側の方向から光が入射した場合、蒲鉾状画線群（４）を形成している盛り上がりを有する蒲鉾状画線（６）表面のうち、光を強く正反射するのは、それぞれの画線中心からＡ側にあたる画線表面のみであり、逆に、潜像印刷物（１）のＡ’側の方向から光が入射した場合、蒲鉾状画線（６）表面のうち、光を強く正反射するのは、それぞれの画線中心からＡ’側の方向にあたる画線表面のみである。
【００５５】
以上のように、蒲鉾状画線（６）のような、盛り上がりを有する画線が光を反射する場合、入射する光に対して入射光と法線を成す画線表面を中心に光を反射しており、言い換えれば、入射する光の角度に応じて、盛り上がりを有する画線表面のうち、強く光を反射する領域は変化している。
【００５６】
蒲鉾状画線（６）の表面には、それぞれ潜像画線（８）が形成されていることから、蒲鉾状画線（６）が光を強く反射した場合には、その画線上に重ねられた潜像画線（８）と蒲鉾状画線（６）とは異なる色彩に変化し、それまで隠蔽されていた潜像画線（８）が色彩の違いによって可視化される。
【００５７】
この場合、可視化される潜像画線（８）は、蒲鉾状画線（６）のうち光を強く反射した領域に重ねられて形成されていた潜像画線（８）の一部のみであり、それ以外の領域に重ねられて形成されていた潜像画線（８）は隠蔽されたままとなる。このため、光が入射した場合、蒲鉾状画線（６）には、その画線表面の一部にのみ、光を強く反射する領域が形成されるため、この光を強く反射した領域の上に重ねられた潜像画線（８）のみがサンプリングされて可視化される。
【００５８】
この際、サンプリングされる幅、すなわち、それぞれの蒲鉾状画線（６）が光を強く反射する領域の幅が狭い方が、出現する潜像画像は、より基画像（９）に近く、輪郭がシャープで画像全体が明瞭に再現される。
【００５９】
逆に、その幅が広い場合には、より潜像画線群（５）自体に近い画像となり、輪郭がぼやけ、不明瞭な状態で再現されてしまう。この状態を防ぐためには、それぞれの盛り上がりを有する画線が光を強く反射する領域を狭くする必要があり、盛り上がりを有する画線の高さをより高くすることが有効である。
【００６０】
観察者の視点が動いたり、潜像印刷物（１）を傾けたりした場合には、光が入射する角度が変化するために、蒲鉾状画線（６）の表面のうち、光を反射する領域も移動し、それに伴って潜像画線（８）のサンプリングされる領域も移動する。
【００６１】
ここで、蒲鉾状画線（６）上に形成された潜像画線群（５）を構成する潜像画線（８）は、基準線（７）を中心としての非反転画線（８Ａ）と反転画線（８Ｂ）とに区分けされている。基画像（９）の一部をミラー反転することなく作製された非反転画線群（５Ａ）と、ミラー反転して作製された反転画線群（５Ｂ）とは、それぞれ基画像（９）が約フレームの幅（Ｈ）の距離だけ画線方向と直交する方向に移動するだけの圧縮された画像が含まれるが、それぞれの画像情報における移動方向は正反対である。このため、出現した基画像（９）が基準線（７）を中心に画線と直交する方向に、それぞれ逆向きに、かつ、同時に動く効果が生じる。この逆向きに、かつ、同時に動く効果が、基画像（９）が基準線（７）を中心に拡大したり、逆方向に傾けて観察することで縮小したりして見える効果と成っている。
【００６２】
以上が、本発明の潜像印刷物（１）において、潜像印刷物（１）が光を強く反射した場合に潜像画像として基画像（９）が出現し、傾けて観察することによって基準線（７）を中心に、拡大又は縮小して見える効果が発現する原理である。以上が第一の実施の形態の説明である。
【００６３】
（第二の実施の形態）
続いて、本発明における第二の実施の形態について、図１２から図２４を用いて説明する。第二の実施の形態における潜像印刷物は、非反転画線群（５Ａ）と反転画線群（５Ｂ）は、それぞれ二種類の潜像画線からなる（潜像画線セットである）形態で、蒲鉾状画線群（４）と潜像画線群（５）の重ね合わせの位置関係が適正な位置からずれたとしても、スムーズで連続的な拡大又は縮小効果が生じる形態について説明する。なお、第二の実施の形態において、「潜像画線セット」とは、第一の実施の形態における１本の潜像画線を、非反転潜像画線と反転潜像画線の２本が１セットとなって一つの画線を構成している状態をいう。
【００６４】
図１２（ａ）に本発明の潜像印刷物（１’）を示し、図１２（ｂ）には、潜像印刷物（１’）のＡ−Ａ’ラインにおける断面図（略図）を示す。潜像印刷物（１’）は、基材（２’）上に、印刷画像（３’）を備える。基材（２’）は、印刷画像（３’）が形成できれば、紙であってもプラスティックであっても、金属等であっても良く、材質は問わない。また、印刷画像（３’）は透明であっても着色されていても良く、その色彩は問わない。
【００６５】
図１３に印刷画像（３’）の構成の概要を示す。印刷画像（３’）は、蒲鉾状画線群（４’）と、潜像画線群（５）’が重なって形成されてなる。印刷画像（３’）の積層構造は、蒲鉾状画線群（４’）の上に潜像画線群（５’）が重なる構造を有してなる。
【００６６】
蒲鉾状画線群（４’）については、第一の実施の形態の構成と同様であることから説明を省略し、潜像画線群（５’）について説明する。潜像画線群（５’）は、図１４に示すように、基準線（７’）を中心に、第一の潜像画線群（５Ａ’）及び第二の潜像画線群（５Ｂ’）に大きく区分けされる。さらに、第一の潜像画線群（５Ａ’）は、第一の非反転画線群（５Ａ−１’）及び第一の反転画線群（５Ａ−２’）から成り、第二の潜像画線群（５Ｂ’）は、第二の反転画線群（５Ｂ−１’）及び第二の非反転画線群（５Ｂ−２’）からなる。すなわち、潜像画線群（５’）は、第一の非反転画線群（５Ａ−１’）及び第二の非反転画線（５Ｂ−２’）の二種類の非反転画線群と、第一の反転画線群（５Ａ−２’）及び第二の反転画線群（５Ｂ−１’）の二種類の反転画線群からなる。
【００６７】
図１５に第一の潜像画線群（５Ａ’）及び第二の潜像画線群（５Ｂ’）の構成を示す。第一の潜像画線群（５Ａ’）は、第一の非反転画線群（５Ａ−１’）及び第一の反転画線群（５Ａ−２’）からなる第一の潜像画線セット（８Ａ’）が蒲鉾状画線群（４）と同じ規則性を有して万線状に配置されて成り、第二の潜像画線群（５Ｂ’）は、第二の反転画線群（５Ｂ−１’）及び第二の非反転画線群（５Ｂ−２’）からなる第二の潜像画線セット（８Ｂ’）が蒲鉾状画線群（４’）と同じ規則性を有して万線状に配置されてなる。
【００６８】
具体的には、それぞれ同じ画線幅（Ｗ２）、かつ、同じ画線方向（図中Ｓ１）を有する第一の潜像画線セット（８Ａ’）及び第二の潜像画線セット（８Ｂ’）が、蒲鉾状画線群と同じピッチ（Ｐ１）で、かつ、同じ画線方向（図中Ｓ２方向）に連続して配置されてなる。第一の潜像画線セット（８Ａ’）及び第二の潜像画線セット（８Ｂ’）は、隣り合うそれぞれの画線同士でわずかずつ形状が異なる。
【００６９】
第一の潜像画線セット（８Ａ’）及び第二の潜像画線セット（８Ｂ’）には、それぞれ対となる蒲鉾状画線（６’）が存在し、それぞれの第一の潜像画線セット（８Ａ’）及び第二の潜像画線セット（８Ｂ’）と対となる蒲鉾状画線（６’）と、その形状が略等しい。適正な位置関係において第一の潜像画線セット（８Ａ’）及び第二の潜像画線セット（８Ｂ’）と対となる蒲鉾状画線（５’）は、重なり合う。ここでいう第一の潜像画線セット（８Ａ’）及び第二の潜像画線セット（８Ｂ’）の形状とは、画線自体の形状を指すのではなく、図１５に示した画線幅（Ｗ１）内に存在している空白部分を含めた形状を指す。
【００７０】
それぞれの第一の潜像画線セット（８Ａ’）は、第一の非反転画線（８Ａ−１’）及び第一の反転画線（８Ａ−２’）からなる。すなわち、図１６に示すように任意の第一の潜像画線セット（８Ａ５’、８Ａ８’、８Ａ１０’）とは、第一の非反転画線（８Ａ５−１’、８Ａ８−１’、８Ａ１０−１’）及び第一の反転画線（８Ａ５−２’、８Ａ８−２’、８Ａ１０−２’）の二種類の異なる画線の組み合わせでなる。
【００７１】
同じく、それぞれの第二の潜像画線セット（８Ｂ’）は、第二の反転画線（８Ｂ−１’）及び第二の非反転画線（８Ｂ−２’）からなる。すなわち、図１６に示すように任意の第二の潜像画線セット（８Ｂ５’、８Ｂ８’、８Ｂ１０’）とは、第二の反転画線（８Ｂ５−１’、８Ｂ８−１’、８Ｂ１０−１’）及び第二の非反転画線（８Ｂ５−２’、８Ｂ８−２’、８Ｂ１０−２’）の二種類の異なる画線の組み合わせでなる。第二の実施の形態において、潜像画線群（５’）を構成する４種類の画線（８Ａ−１’、８Ａ−２’、８Ｂ−１’、８Ｂ−２’）は、いずれも同じ画線幅（Ｗ３）で構成されてなる。ここで、Ｗ３＝Ｗ２／２である。
【００７２】
第一の潜像画線セット（８Ａ’）において、一つのピッチ（Ｐ１）の中で隣り合った第一の非反転画線（８Ａ−１）と第一の反転画線（８Ａ−２）とは、一対の関係であり、それぞれの画像（画線自体）の関係は、互いの画像をミラー反転した画像と略等しく、結果として第一の潜像画線セット（８Ａ’）は、画線の中心線を基準に左右にシンメトリーな関係に近い画像となる。これは、第二の潜像画線セット（８Ｂ’）についても同様である。
【００７３】
ここで第一の非反転画線（８Ａ−１’）は、第一の実施の形態における非反転画線（８Ａ）と作製方法及び構成が同じであり、第二の反転画線（８Ｂ−１’）は、第一の実施の形態における反転画線（８Ｂ）と作製方法及び構成が同じであるため説明を省略する。以下では、第一の反転画線（８Ａ−２’）と第二の非反転画線（８Ｂ−２’）の作製方法と構成について説明する。
【００７４】
まず、第一の反転画線（８Ａ−２’）の作製方法及び構造について説明する。図１７にある任意の第一の反転画線（８Ａｉ−２’）の作製方法の一例を示す。図１７（ａ）に示す基画像（９’）と、基画像（９）の出現位置はすでに決定しているため、図１７（ｂ）のように基画像（９’）の下に配される任意の蒲鉾状画線（６Ａｉ’）との位置関係を決定する。
【００７５】
そして、図１７（ｃ）に示すように、画線と平行方向の高さ（Ｌ）（Ｌは基画像（９）の高さよりも大きな値）と、画線と直交する方向の幅（Ｈ）のフレーム（１０’）を設定し、任意の蒲鉾状画線（６Ａｉ’）の中心にフレーム（１０’）の中心を据えて、フレーム内に納まる基画像（９’）のみを図１７（ｄ）のように取り出す。この取り出したフレーム内画像（９Ａｉ’）を画像の中心を軸にして画線と直交する方向にミラー反転する（図１７（ｅ））。この工程の有無が第一の反転画線（８Ａ−２’）と第一の非反転画線（８Ａ−１’）との違いである。この反転した画像を蒲鉾状画線（６Ａｉ’）の中心に向かって、特定の縮率で一定の幅（Ｗ３）に圧縮する（図１７（ｆ））。これによって第一の反転画線（８Ａｉ−２’）の一つができあがる（図１７（ｇ））。
【００７６】
図１７では、任意の第一の反転画線（８Ａｉ−２’）の作製方法を示したが、図１８に示すように蒲鉾状画線群（４’）の中の全ての蒲鉾状画線（６ｉ−１０’、・・・、６ｉ’、・・・、６ｉ＋１０’）について、対となる第一の反転画線（８Ａｉ−１０−２’、・・・、８Ａｉ−２’、・・・、８Ａｉ＋１０−２’）を作製することで、第一の反転画線群（５Ａ−２’）を作製することができる。
【００７７】
次に、第二の非反転画線群（５Ｂ−２’）の作製方法及び構造について説明する。図１９に第二の非反転画線（８Ｂｉ−２’）の作製方法の一例を示す。第一の反転画線（８Ａｉ−２’）の作製に用いたのと同じ大きさのフレーム（１０’）を任意の蒲鉾状画線（６Ｂｉ’）の中心に据えて（図１９（ｃ））、フレーム（１０’）の中に納まる基画像（９’）のみを図１９（ｄ）のように取り出してフレーム内画像（９Ｂｉ’）とする。このフレーム内画像（９Ｂｉ’）を蒲鉾状画線（６Ｂｉ’）の中心に向かって、特定の縮率で一定の幅（Ｗ３）に圧縮する（図１９（ｅ））。これによって第二の非反転画線（８Ｂｉ−２’）の一つができあがる（図１９（ｆ））。
【００７８】
図２０では、一つの蒲鉾状画線（６ｉ’）に対応した第二の非反転画線（８Ｂｉ−２’）の作製方法を示したが、図２０に示すように、蒲鉾状画線群（４’）の中の全ての蒲鉾状画線（６ｉ−１０’、・・・、６ｉ’、・・・、６ｉ＋１０’）について、対となる第二の非反転画線（８Ｂｉ−１０−２’、・・・、８Ｂｉ−２’、・・・、８Ｂｉ＋１０−２’）を作製することで、第二の非反転画線群（５Ｂ−２’）を作製することができる。
【００７９】
第一の非反転画線（８Ａ−１’）と第一の反転画線（８Ａ−２’）の違いは、取り出した画像をミラー反転する工程の有無にあり、これは第二の反転画線（８Ｂ−１’）と第二の非反転画線（８Ｂ−２’）も同様である。
【００８０】
以上のように、第二の実施の形態では、一つの基画像（９’）から四種類の潜像画線（第一の非反転画線（８Ａ−１’）、第一の反転画線（８Ａ−２’）、第二の反転画線（８Ｂ−１’）及び第二の非反転画線（８Ｂ−２’））を作製する。第一の実施の形態同様に、基画像（９’）の下に蒲鉾状画線（６’）が存在する部分に対して実施する必要があり、基画像（９’）の下に存在する１本の蒲鉾状画線（６’）に対して第一の実施の形態では非反転型か反転型のいずれか一方の潜像画線（非反転画線（８Ａ）、反転画線（８Ｂ））を作製したが、第二の実施の形態では、非反転型と反転型で組み合わせ順が異なる二種類のペア画線（第一の非反転画線（８Ａ−１’）と第一の反転画線（８Ａ−２’）か、又は第二の反転画線（８Ｂ−１’）と第二の非反転画線（８Ｂ−２’））を、それぞれセットで作製する必要がある。
【００８１】
同じ蒲鉾状画線（６’）に対して、その蒲鉾状画線の中心に、潜像画線（８’）を作成するためのフレームを当て嵌めてから作製した第一の非反転画線（８Ａ−１’）と第一の反転画線（８Ａ−２’）は、一対のペアとして隣接させる。二つの画線の隙間は設けないか、可能な限り小さくすることが望ましい。これによって一つの第一の潜像画線セット（８Ａ）が完成する。この作業を繰り返し、全ての第一の潜像画線セット（８Ａ’）を作製し、蒲鉾状画線（６’）の配置ピッチと同じ特定のピッチ（Ｐ１）で連続して配置して第一の潜像画線群（５Ａ’）が完成する。同じ作業を第二の反転画線（８Ｂ−１’）と第二の非反転画線（８Ｂ−２’）に対しても行い、第二の潜像画線セット（８Ｂ’）を作製し、同様に連続して配置することで第二の潜像画線群（５Ｂ’）が完成する。
【００８２】
ここで重要な点として、第一の潜像画線セット（８Ａ’）と第二の潜像画線セット（８Ｂ’）では、基準線（７’）との位置関係に応じて、それぞれのセットの中における非反転画線と反転画線の配置を調整する必要がある。図１６で説明すると、第一の画線セット（８Ａ’）において、基準線（７’）に遠い側に第一の非反転画線（８Ａ−１’）を配置し、近い側に第一の反転画線（８Ａ−２’）を配置したのであれば、第二の潜像画線セット（８Ｂ’）でも基準線（７’）に近い側に第二の反転画線（８Ｂ−１’）を配置し、遠い側に第二の非反転画線（８Ｂ−２’）を配置する必要がある。
【００８３】
また、逆に第一の潜像画線セット（８Ａ’）において、基準線（７’）に近い側に第一の非反転画線（８Ａ−１’）を配置し、遠い側に第一の反転画線（８Ａ−２’）を配置したのであれば、第二の潜像画線セット（８Ｂ’）でも基準線（７’）に遠い側に第二の反転画線（８Ｂ−１’）を配置し、近い側に第二の非反転画線（８Ｂ−２’）を配置する必要がある。
【００８４】
すなわち、潜像画線群（５’）を構成するそれぞれの潜像画線は、それぞれ対を成す蒲鉾状画線（６’）の中心を軸として、基準線（７’）に遠い側にそれぞれの非反転画線（８Ａ−１’、８Ｂ−２’）を配置し、かつ、基準線（７’）に近い側にそれぞれの反転画線（８Ａ−２’、８Ｂ−１’）を配置するか、又は基準線（７’）に近い側にそれぞれの非反転画線（８Ａ−１’、８Ｂ−２’）を配置し、かつ、基準線（７’）に遠い側にそれぞれの反転画線（８Ａ−２’、８Ｂ−１’）を配置する必要がある。
【００８５】
次に、第一の潜像画線群（５Ａ’）と第二の潜像画線群（５Ｂ’）の二つの潜像画線群を重ね合わせて、最終的な潜像を構成する画像となる潜像画線群（５’）を作製する。第一の潜像画線群（５Ａ’）と第二の潜像画線群（５Ｂ’）をそれぞれの画線同士が重なり合わないように合成することで、潜像画線群（５’）が作製できる。第一の潜像画線群（５Ａ’）のうちの最も基準線（７’）に近い第一の潜像画線セット（８Ａｎ’）と、第二の潜像画線群（５Ｂ’）のうちの最も基準線（７’）に近い第二の潜像画線セット（８Ｂ１’）とを特定のピッチ（Ｐ１）で隣り合わせて配置し、潜像画線群（５’）が完成する。
【００８６】
以上のように、潜像画線群（５）は、第一の潜像画線群（５Ａ’）と第二の潜像画線群（５Ｂ）が組み合わさって成り、潜像画線群（５’）は、二種類の非反転画線（８Ａ−１’，８Ｂ−２’）と、二種類の反転画線（８Ａ−２’、８Ｂ−１’）の四種類の画線からなる。すなわち、潜像画線群（５’）を構成するそれぞれの潜像画線（８）の中には、画線と直交する特定の方向に基画像（９’）が拡大する情報と、画線と直交する特定の方向と逆の方向に基画像（９’）が縮小する情報とが同時に備わっている。縮率、潜像画線群（５’）に求められる光学特性、形成方法等については、第一の実施の形態と同じであり、説明を省略する。
【００８７】
蒲鉾状画線群（４’）と潜像画線群（５’）の重ね合わせの位置関係について説明する。図２１は、蒲鉾状画線群（４’）と潜像画線群（５’）の二つの画像の重なり合いの適正な位置関係を示す。潜像印刷物（１’）において、蒲鉾状画線群（４’）の上に潜像画線群（５’）が重なり合う必要がある。最も望ましい位置関係は、図２１に示すように、それぞれ対を成す蒲鉾状画線群（４’）の上に潜像画線群（５’）が完全に重なり合った位置関係である。つまり、図２１の断面拡大図に示すように、それぞれの蒲鉾状画線（６Ｂｉ−１’、６Ｂｉ’、６Ｂｉ＋１’、６ｉ＋２’）に対してそれぞれ対を成す関係にある潜像画線（８Ｂｉ−１’、８Ｂ’、８Ｂｉ＋１’、８Ｂｉ＋２’）がそれぞれ重なり合う関係とする必要がある。
【００８８】
続いて、図２１の蒲鉾状画線群（４’）と潜像画線群（５’）の適正な重なり合いの位置関係で構成された本発明の潜像印刷物（１’）の効果について説明する。印刷画像（３’）に強い光が入射しない拡散反射光下においては、潜像画像である基画像（９’）は不可視であり、単に印刷画像（３’）のみが視認できる（図示せず）。一方の正反射光下においては、彩紋を表した基画像（９’）が光のコントラストによって出現する。
【００８９】
図２２（ａ）、（ｂ）、（ｃ）に示すように、入射する光に対して潜像印刷物（１’）の傾きを変えて観察することによって、印刷画像（３’）中の基画像（９’）の中心位置は変わらずに大きさが変化する。この例では図２２（ａ）の状態から潜像印刷物（１’）を傾けるに従って、図２２（ｂ）のように基画像（９’）が基準線（７’）を中心に画線と直交する方向に徐々に拡大して見える。また、その状態から図２２（ｃ）のようにそのまま同じ方向により深く傾けて観察すると、基画像（９’）が図２２（ｂ）の状態とは逆方向に徐々に縮んで見える。以上のように、第二の実施の形態では、傾きの方向を変化させるのではなく、単に傾きの角度を深くするだけで、出現した基画像（９’）が拡大したのち特定の観察角度から逆に縮小したり、縮小したのち特定の観察角度から逆に拡大したりするといった特殊な視覚効果が生じる。
【００９０】
これは、潜像画線群（５’）を構成する潜像画線が、それぞれ別々の方向へ動く非反転画線（８Ａ−１’，８Ｂ−２’）と反転画線（８Ａ−２’，８Ｂ−１’）の組み合わせで構成されているために生じる効果である。潜像印刷物（１’）の傾ける方向が一定の方向であるにもかかわらず、基画像（９’）の動きの方向が反転する効果は、第一の実施の形態のような一つの潜像画線を一方向へ動く一種類の潜像画線で構成していた形態では、なし得ない効果であり、一つの潜像画線を別々の方向に動く二種類の潜像画線で構成する第二の実施の形態における潜像印刷物（１’）の効果の特徴である。
【００９１】
このような、単に傾きの角度を深くするだけで出現した基画像（９’）が拡大したのち特定の観察角度から逆に縮小する効果（以下、この効果を「拡大縮小逆転効果」と呼ぶ）は、一つの方向にのみ基画像（９’）が動く効果と比較すると、観察者の興味を惹きやすく、偽造も難しいため、より望ましい効果であると言える。
【００９２】
この「拡大縮小逆転効果」が生じる原理について説明する。第二の実施の形態における潜像画像（５’）は、全て潜像画線セット（８Ａ’、８Ｂ’）によって構成されている。そして、全ての潜像画線セット（８Ａ’、８Ｂ’）は、非反転潜像画線（８Ａ−１’，８Ｂ−２’）と反転潜像画線（８Ａ−２’、８Ｂ−１’）の組合せによって構成されてなる。そして、全ての蒲鉾状画線（６’）の上には、対となる潜像画線セット（８Ａ’、８Ｂ’）が重ね合わさってなる。すなわち、全ての蒲鉾状画線（６’）の上には、画線と直交する特定の方向に基画像（９’）が拡大する情報と、画線と直交する特定の方向と逆の方向に基画像（９’）が縮小する情報とが同時に備わっている。
【００９３】
このことから、蒲鉾状画線（６’）に光が入射して蒲鉾状画線（６’）の上に形成された潜像画線セット（８Ａ’、８Ｂ’）の、どの部分がサンプリングされるかによって出現する基画像（９）が拡大されるのか、逆に縮小されるのかが変化する。
【００９４】
ここで、図２１に示したように、一つの蒲鉾状画線（６’）に対して、蒲鉾状画線（６’）の盛り上がりの頂点を分岐線として、基準線（７’）に近い側（Ａ辺側）の斜面に第二の反転画線（８Ｂ−１’）が重なり、基準線（７’）に遠い側（Ａ’辺側）の斜面に第二の非反転画線（８Ｂ−２’）が重なっている位置関係を例とする。
【００９５】
この位置関係の場合、Ａ辺側から光が入射した場合には第二の反転画線（８Ｂ−１’）がサンプリングされる。第二の反転画線（８Ｂ−１’）のＡ辺側には基画像（９’）が基準線（７’）側に最も近づいた（縮んだ）状態の情報があり、第二の反転画線（８Ｂ−１’）の盛り上がりの頂点側には基画像（９’）が基準線（７’）から最も離れた（拡大した）状態の情報がある。このため、図２２（ａ）から図２２（ｂ）にかけて潜像印刷物（１’）に対する観察角度を深くしたように、傾き角度を大きくすることによって蒲鉾状画線（６’）の光の反射面は、Ａ辺側から徐々に盛り上がりの頂点側に移動し、同時にサンプリングされる第二の反転画線（８Ｂ−１’）の画像情報も、Ａ辺側から盛り上がりの頂点側へと移動する。そのため、サンプリングされて出現する基画像（９’）は、まず縮んだ状態であり、そこから徐々に拡大された状態へと変化して見える。以上のように、Ａ辺側から光が入射し、そこから傾き角度を大きく変化させた場合には出現した基画像（９’）が拡大される効果を生じる。
【００９６】
また、その状態から潜像印刷物（１’）の傾きをより大きく変化させた場合（図２２（ｃ））、蒲鉾状画線（６’）の光の反射面は、Ａ辺側から盛り上がりの頂点まで達する。この段階でサンプリングされる情報は、第二の反転画線（８Ｂ−１’）の画像情報から第二の非反転画線（８Ｂ−２’）の画像情報へと切り替わる。第二の非反転画線（８Ｂ−２’）の盛り上がりの頂点側には基画像（９’）が基準線（７’）側から最も離れた（拡大した）状態の情報があり、第二の非反転画線（８Ｂ−２’）のＡ’辺側には基画像（９’）が基準線（７’）に最も近づいた（縮んだ）状態の情報がある。
【００９７】
このため、図２２（ｂ）から図２２（ｃ）にかけて潜像印刷物（１’）に対する観察角度を深くしたように、傾き角度を大きくすることによって蒲鉾状画線（６’）の光の反射面は、盛り上がりの頂点から徐々にＡ’辺側に移動し、同時にサンプリングされる第二の反転画線（８Ｂ−１’）の画像情報も盛り上がりの頂点側からＡ’辺側へと移動する。そのため、盛り上がりの頂点からＡ’辺側へと反射面が移動し、サンプリングされて出現する基画像（９’）は、まず拡大された状態であり、そこから徐々に縮小された状態へと変化して見える。以上のように、より一層、傾き角度を大きく変化させた場合には出現した基画像（９’）が縮小される効果を生じる。以上の原理によって、第二の実施の形態における「拡大縮小逆転効果」が生じる。
【００９８】
第二の実施の形態における拡大縮小逆転効果は、単にユニークな視覚効果や偽造抵抗力を高めるためだけに付与するものではない。この効果を得るための構成とは、蒲鉾状画線群（４’）と潜像画線群（５’）の刷り合わせが適正な位置からずれてしまった場合に生じる「ジャンプ現象」を抑制し、拡大や縮小の効果を必ず連続的にスムーズな動きの中で生じさせることをもう一つの大きな目的としている。以下に具体的に説明する。
【００９９】
第一の実施の形態でも触れたが、蒲鉾状画線群（４）と潜像画線群（５）の位置関係が適正な状態から外れた場合、「ジャンプ現象」と呼ばれる、基画像（９）の大きさが突然大きく変わる現象が発生する。第一の実施の形態を例にとれば、仮に図２３に示すように、図１０の適正な蒲鉾状画線群（４）と潜像画線群（５）の位置関係から、１ピッチの半分（Ｐ１／２）だけ刷り合わせがずれてしまった場合、それぞれ対を成す蒲鉾状画線（６）と潜像画線（８）が重なり合わず、一つの蒲鉾状画線（６）に二つの異なる反転画線（８Ｂ）が重なってしまう位置関係となる。
【０１００】
それぞれの反転画線（８Ｂ）の画像情報は、基準線（７）から遠い側には、基画像（９）が基準線（７）に最も近づいた（縮んだ）状態の情報があり、基準線（７）から近い側には、基画像（９）が基準線（７）から最も離れた（拡大した）状態の情報がある。図２３の蒲鉾状画線群（４）と潜像画線群（５）の位置関係では、蒲鉾状画線（６）の盛り上がりの頂点で、一つの反転画線（８Ｂｉ）から隣接した反転画線（８Ｂｉ＋１）が切り替わる構造を有しているため、潜像印刷物（１）を傾けて蒲鉾状画線（６）の盛り上がり近傍の情報がサンプリングされた場合、再生される基画像（９）の画像情報は、最も縮んだ状態から最も拡大された状態か、又は最も拡大された状態から最も縮んだ状態へと、基画像（９）の大きさが一気に変化する。この状態の変化は不連続であり、これによって本発明の効果である連続的でスムーズな拡大又は縮小効果が失われ、観察者に違和感を生じさせてしまう。これが「ジャンプ現象」であり、蒲鉾状画線群（４）と潜像画線群（５）の刷り合わせズレがその発生の原因である。
【０１０１】
第二の実施の形態においては、この「ジャンプ現象」は生じない。その理由を以下に説明する。図２４に示すように、図２１に示した適正な蒲鉾状画線群（４’）と潜像画線群（５’）の位置関係から、１ピッチの半分（Ｐ１／２）だけ刷り合わせがずれた場合、図２３で示した第一の実施の形態の例と同様に、それぞれ対を成す蒲鉾状画線（６’）と潜像画線（８Ｂ’）が重なり合わず、一つの蒲鉾状画線（６’）に二つの異なる潜像画線（８Ｂ’）が重なる位置関係となる。ここで第二の実施の形態におけるそれぞれの潜像画線は、必ずそれぞれ逆方向に動く画像情報がペアとなっている。
【０１０２】
第一の実施の形態の潜像画線の構成では、一つの潜像画線の両端の画像情報は基画像（９）が最も縮んだ状態と最も拡大した状態の二つの極端に異なる情報であり、そのため隣り合った二つの潜像画線の切り替わり部分がサンプリングされることで、最も縮んだ状態から最も拡大した状態へ（あるいは最も拡大した状態から、最も縮んだ状態へ）と一気に変化する「ジャンプ現象」が生じていた。
【０１０３】
一方、第二の実施の形態の潜像画線（８’）の中の画像情報は、最も縮んだ状態から最も拡大した状態へ変化する情報と、最も拡大した状態から最も縮んだ状態へと変化する情報の二種類の異なる情報のセットからなるか、又は最も拡大した状態から最も縮んだ状態へ変化する情報と、最も縮んだ状態から最も拡大した状態へと変化する情報の二種類の異なる情報のセットからなる。このため、第二の実施の形態の潜像画線（８’）の中の画像情報の両端の画像情報とは、両端とも最も縮んだ状態の情報であるか、あるいは最も拡大した状態の情報となる。そのため隣り合った二つの潜像画線の切り替わり部分がサンプリングされた場合でも、最も縮んだ状態から最も縮んだ状態へ（あるいは最も拡大した状態から最も拡大した状態へ）と同じ状態を保つだけであり、「ジャンプ現象」が生じず、連続した「拡大縮小逆転効果」が担保される。
【０１０４】
例として図２４の蒲鉾状画線群（４’）と潜像画線群（５’）の位置関係で本発明の潜像印刷物（１’）を構成した場合の効果を図２５に示す。光源から光が直接潜像印刷物（１’）に入射しない拡散反射光下では潜像画像である基画像（９’）は不可視であり、単に印刷画像（３’）のみが視認できる（図示せず）。一方の正反射光下においては、彩紋を表した基画像（９’）が光のコントラストによって出現する。
【０１０５】
図２５（ａ）、（ｂ）、（ｃ）に示すように、入射する光に対して潜像印刷物（１’）の傾きを変えて観察することによって、印刷画像（３’）中の基画像（９’）の中心位置は変わらずに大きさが変化する。この例では図２５（ａ）の状態から潜像印刷物（１’）を傾けるに従って、図２５（ｂ）のように基画像（９’）が基準線（７’）を中心に画線と直交する方向に徐々に縮小して見える。また、その状態から図２５（ｃ）のようにより深く傾けて観察すると、基画像（９’）が図２５（ｂ）の状態とは逆方向に徐々に拡大して見える。以上のように、図２１で示した刷り合わせが適正な位置関係であった場合の効果（図２２）とは傾けた場合の拡大又は縮小の関係が逆転しているものの、刷り合わせがずれた場合でも「ジャンプ現象」は生じず、連続してスムーズな「拡大縮小逆転効果」が生じていることがわかる。
【０１０６】
以上の理由から第二の実施の形態の構成においては蒲鉾状画線群（４’）と潜像画線群（５’）の位置関係に関係なく「ジャンプ現象」が生じず、「拡大縮小逆転効果」が必ず担保できる。実際に潜像印刷物（１’）を製造することを考えると、蒲鉾状画線群（４’）と潜像画線群（５’）は、それぞれ別々の印刷方式で形成される場合が多く、この二つの画線群の刷り合わせを完全に一致させることは容易ではない。この対策として、蒲鉾状画線群（４’）と潜像画線群（５’）の位置関係にずれが生じても必ず「拡大縮小逆転効果」を担保できるよう、第二の実施の形態の構成を用いて本発明の潜像印刷物（１’）の構成を適用することは、製造難度を下げるうえで大きな意味がある。
【０１０７】
（第三の実施の形態）
続いて、第三の実施の形態として蒲鉾状画線群（４’’）が直線でなるのではなく、曲線や直線等を含んだ画線によって構成され、かつ、第二の実施の形態と同様に「拡大縮小逆転効果」が生じる例について説明する。
【０１０８】
図２６に、本発明の潜像印刷物（１’’）を示し、図２６（ｂ）には潜像印刷物（１’’）のＡ−Ａ’ラインにおける断面図を示す。潜像印刷物（１’’）は、基材（２’’）上に、印刷画像（３’’）を備える。基材（２’’）は、印刷画像（３’’）が形成できれば、紙であってもプラスティックであっても、金属等であっても良く、材質は問わない。また、印刷画像（３’’）は透明であっても着色されていても良く、その色彩は問わない。
【０１０９】
図２７に印刷画像（３’’）の構成の概要を示す。印刷画像（３’’）は、蒲鉾状画線群（４’’）と、潜像画線群（５’’）が重なって形成されてなる。印刷画像（３’’）の積層構造は、蒲鉾状画線群（４’’）の上に潜像画線群（５’’）が重なる構造を有してなる。
【０１１０】
まず、蒲鉾状画線群（４’’）について説明する。蒲鉾状画線群（４’’）は、図２８に示すように、直径が異なり、それぞれ形状が相似な同心円の形態を有する複数の蒲鉾状画線（６’’）が、万線状に構成されてなる。第三の実施の形態において、画線方向が変化する円である蒲鉾状画線（６’’）は、任意の画線幅（Ｗ１）を有して、特定のピッチ（Ｐ１）で画線方向と直交する方向に連続して配置されてなる。第三の実施の形態における基準位置（７’’）は円心とする。
【０１１１】
なお、第三の実施の形態で言う「画線方向」及び「画線方向と直交する方向」について説明する。画線が直線である場合、図２９（ａ）に示すように画線方向は完全に固定された一つの方向のみとなり、その方向は画線自体と一致し、画線方向と直交する方向は、画線と９０度で交わる方向となる。一方、図２９（ｂ）に示すように画線が曲線である場合、画線方向とはそれぞれの地点で連続的に変化する。すなわち、それぞれの地点における曲線の接線方向が画線方向となり、画線方向と直交する方向とは、それぞれの地点における曲線の法線方向（画線上のある点から直角に外側に向かう方向）となる。
【０１１２】
図３０に一例として、画線方向が異なる蒲鉾状画線（６’’）によって構成された蒲鉾状画線群（４’’）の一例を示す。これらは、それぞれの蒲鉾状画線（６’’）が相似な形状を有し、画線方向と直交する方向に対して同じピッチ（Ｐ１）で連続して配置することで形成できる。
【０１１３】
また、図３１に示すのは、画線方向が異なる蒲鉾状画線（６’’）によって構成された蒲鉾状画線群（４’’）の一例を示す。これらはそれぞれの蒲鉾状画線（６’’）が相似でない、非相似な形状を有し、この場合には画線方向と直交する方向に対してピッチを変えて連続して配置することで形成できる。このように、直線以外の相似形状及び非相似形状の蒲鉾状画線（６’’）によって蒲鉾状画線群（４’’）を構成することが第三の実施の形態の潜像印刷物（１’’）の最大の特徴である。
【０１１４】
なお、それぞれの蒲鉾状画線（６’’）を互いに非相似形状で形成する場合、隣り合う位置関係にある蒲鉾状画線（６’’）同士は、蒲鉾状画線群（４’’）に含まれる全ての蒲鉾状画線（６’’）の形状の中でも最も似た形状を有することが望ましい。この理由は、本発明においては、非相似形状である複数の蒲鉾状画線（６’’）を用いて蒲鉾状画線群（４’’）を形成するため、蒲鉾状画線群（４’’）中にはそれぞれ全く形状の異なる非相似形状の蒲鉾状画線（６’’）が含まれ得るが、それぞれ隣り合う蒲鉾状画線（６’’）同士の形状が著しく異なると、潜像画線群（５’’）の刷り合わせがわずかでもずれた場合、基画像（９’’）に歪が生じやすく、基画像（９’’）が不明瞭な形で再生される場合がある。そのため、基画像（９’’）を可能な限り歪のない、明瞭な形で再生するために、少なくとも隣り合った蒲鉾状画線（６’）同士は非相似形状であっても、可能な限り形状を似せることが望ましい。
【０１１５】
なお、それぞれの蒲鉾状画線（６’’）を互いに非相似形状で形成する場合、それぞれの蒲鉾状画線（６’’）は形状が異なるため、当然のことながら画線方向や画線幅、それぞれの蒲鉾状画線（６’’）間のピッチも異なる。ただし、一つの蒲鉾状画線群（４’’）の中に含まれるそれぞれの蒲鉾状画線（６’’）の画線幅のうち、最も大きい画線幅を持つ蒲鉾状画線（６’’）の画線幅と、最も小さい画線幅を持つ蒲鉾状画線（６’’）の画線幅の倍率が２倍以下であることが望ましく、また同様に一つの蒲鉾状画線群（４’’）の中に含まれる各蒲鉾状画線（６’’）間のピッチは、最も大きいピッチと最も小さいピッチの倍率が２倍以下であることが望ましい。
【０１１６】
これは、前述した以上の画線幅の差やピッチの差があると、潜像画線群（５’’）を重ねた場合に出現する基画像（９’’）が、部分的に解像度が低下したり、濃淡に強弱が生じたりするためであり、基画像（９’’）を画像全体として違和感なく再生するために満たした方が良い条件である。また画線幅は、一つの蒲鉾状画線（６’’）の中でも太くしたり、細くしたり、自在に変化させて良い。
【０１１７】
蒲鉾状画線（６’’）は、動画効果の認証性を高めるために、画線方向が連続的に変化する曲線を少なくとも一部に含む構成を有する。その場合の曲線は、画線角度にして少なくとも１０度以上変化するものが望ましく、３０度以上変化することがより望ましい。１０度未満の角度変化では、従来の直線で蒲鉾状の画線が構成された印刷物と比較して、効果の面で顕著な差異が生じないためである。動画効果を高める上で、最も効果的な蒲鉾状画線（４’’）の構成は、第二の実施の形態で示した３６０度のあらゆる画線方向を有した円を一部に有した構成である。
【０１１８】
図３２に潜像画線群（５’’）の概要を示す。第三の実施の形態の潜像印刷物（１’’）における潜像画線群（５’’）は、蒲鉾状画線群（４’’）と同じ規則性を有して万線状に配置されている。この同じ規則性について具体的には、蒲鉾状画線群（４’’）と同様に、円の形状を有し、画線幅（Ｗ２）の潜像画線（８’’）を蒲鉾状画線群（４’’）と同じピッチ（Ｐ１）で画線方向と直交する方向に連続して配置してなる。
【０１１９】
また、第三の実施の形態の潜像印刷物（１’’）においては、「拡大縮小逆転効果」を実現する上で第二の実施の形態のように四種類の非反転画線（８Ａ’’）と反転画線（８Ｂ’’）を作製する必要はなく、第一の実施の形態同様に単に二種類の非反転画線と反転画線を作製すれば良い。これは、第三の実施の形態の蒲鉾状画線（４’）が閉じた円形状を有することに起因する。この場合、それぞれの蒲鉾状画線（６’’）において、蒲鉾状画線（６’’）の画線中心から基準位置（７’’）に近い側と、遠い側とに分けて、非反転画線（８Ａ’’）か、反転画線（８Ｂ’’）を配置することで、第二の実施の形態と同様な基準位置（７’’）を対称に非反転画線（８Ａ’’）と反転画線（８Ｂ’’）とが向かい合わせた構成となるためである。
【０１２０】
図３３に、潜像画線群（５’’）におけるそれぞれの非反転画線（８Ａ’’）か、反転画線（８Ｂ’’）の配置図を示す。それぞれの潜像画線は、非反転画線（８Ａ’’）及び反転画線（８Ｂ’’）を蒲鉾状画線（６’’）の中心に対して向かい合わせで配置する構成となる。
【０１２１】
第三の実施の形態のように、蒲鉾状画線（６’’）が直線でなく、円や曲線である場合の非反転画線（８Ａ’’）の作製方法の一例について説明する。まず、図３４（ａ）に示すように、これまでの実施の形態と同様に基画像（９’’）を設定し、印刷画像（３’’）中に配置する。ここから、任意の蒲鉾状画線（６ｉ’’）と対となる非反転画線（８Ａｉ’’）を作製する。蒲鉾状画線（６ｉ’’）の中心線から基準位置（７’’）に向かう方向とは逆方向にＨの距離だけ大きな円（６ｆｉ’’）と蒲鉾状画線（６ｉ’’）の中心線の間に入る基画像（９’’）を取り出す（図３５（ｄ））。この取り出した画像（９Ａｉ’’）をフレーム内画像（９Ａｉ’’）とし、この画像を図３４（ｅ）に示すように蒲鉾状画線（６ｉ’’）の中心線に向かって画線幅がＷ３になるように圧縮し、非反転画線（８Ａｉ’’）が完成する。これが任意の蒲鉾状画線（６ｉ’’）と対となる非反転画線（８Ａ’’）の作製方法である。
【０１２２】
続いて、任意の蒲鉾状画線（６ｉ’’）と対となる反転画線（８Ｂｉ’’）の作製方法の一例について説明する。非反転画線（８Ａｉ）と同様の手順で任意の蒲鉾状画線（６ｉ’’）の中心線から基準位置（７’’）に向かう方向にフレームの幅（Ｈ）の距離だけ小さな円（６ｆｉ’’）と蒲鉾状画線（６ｉ’’）の中心線の間に入る基画像（９’’）を取り出す（図３５（ｄ））。
【０１２３】
この取り出した画像（９Ａｉ’’）をフレーム内画像（９Ａｉ’’）とし、この画像を図３５（ｅ）に示すように蒲鉾状画線（６ｉ’’）の中心線に向かってミラー反転する。このミラー反転した画像（９ＢｉＲ’’）を図３５（ｆ）に示すように蒲鉾状画線（６ｉ’’）の中心線に向かって画線幅がＷ３になるように圧縮し、反転画線（８Ｂｉ’’）が完成する。これが任意の蒲鉾状画線（６ｉ’’）と対となる反転画線（８Ｂ’’）の作製方法である。
【０１２４】
前述の非反転画線（８Ａｉ’’）と反転画線（８Ｂｉ’’）の作製の手順を全ての蒲鉾状画線（６ｉ’’）に対して繰り返すことで、全ての非反転画線（８Ａｉ’’）と反転画線（８Ｂｉ’’）が完成する。それぞれの非反転画線（８Ａｉ’’）と反転画線（８Ｂｉ’’）を嵌め合わせることで潜像画線群（５’’）が完成する。
【０１２５】
第三の実施の形態においては、第一の実施の形態や第二の実施の形態と異なり、非反転画線（８Ａｉ’’）と反転画線（８Ｂｉ’’）を形成するためのフレーム内画像（９Ａｉ’’、９Ｂｉ’’）を、非反転画線（８Ａｉ）については、蒲鉾状画線（６ｉ’’）の中心線から外側に、反転画線（８Ｂｉ）については、蒲鉾状画線（６ｉ’’）の中心線から内側に、それぞれ異なる領域に対して設定した。
【０１２６】
これは、第三の実施の形態における基準位置（７’’）が蒲鉾状画線群（４’’）円心であるため、同じフレーム内画像を用いて非反転画線（８Ａｉ’’）と反転画線（８Ｂｉ’’）を形成した場合、それぞれの画線が重なるため、非反転画線（８Ａｉ’’）と反転画線（８Ｂｉ’’）を最終的に重なり合わないように合成するために、いずれかの画像か、又は両方の画像を拡大又は縮小をして配置する必要があり、その手間を省くための一つの手法であって、この手順に限定されるわけではない。第一の実施の形態や第二の実施の形態と同じように、同じフレームを設定し、それぞれ得られた画像を反転させない非反転画線と反転させた反転画線を作製し、最終的に二つの画像に対して拡大又は縮小を行って重なり合わないように配置しても良い。
【０１２７】
以上の手順で作製した潜像画線群（５’’）を蒲鉾状画線群（４’’）の上に重ね合わせて形成する。任意の蒲鉾状画線（６ｉ’’）の上に対となる潜像画線（８ｉ’’）が重なり合う図３６に示す位置関係となるのが適正な位置関係である。また、第三の実施の形態は、一つの蒲鉾状画線（６’’）の上に非反転画線（８Ａ’’）と反転画線（８Ｂ’’）の二つの異なる種類の画線が構成される形態であるため、任意の蒲鉾状画線（６ｉ’’）の上に対となる潜像画線（８ｉ’’）が完全に一致して重なり合わなかったとしても、「ジャンプ現象」が生じず、「拡大縮小逆転効果」を担保することができる。
【０１２８】
続いて、図３７に、第三の実施の形態の効果を示す。印刷画像（３’’）に強い光が入射しない拡散反射光下においては、潜像画像である基画像（９’’）は不可視であり、単に印刷画像（３’’）のみが視認できる（図３７（ａ））。一方の正反射光下においては、基画像（９’’）である彩紋が光のコントラストによって出現する。図３７（ｂ）、（ｃ）、（ｄ）、（ｅ）の例においては、光は潜像印刷物（１’’）の充分な距離のある位置から潜像印刷物（１’’）の印刷画像（３’’）表面に対して垂直に落射していると仮定する。
【０１２９】
図３７（ｂ）、（ｃ）、（ｄ）、（ｅ）に示すように、入射する光に対して潜像印刷物（１’’）の傾きを変えて観察することによって、印刷画像（３’’）中の基画像（９’’）の形状が変化し、基画像（９’’）がそれぞれの位置の蒲鉾状画線群（４’’）の基準位置（７’’）を中心として拡大したり、縮小したりしているように観察される。また、その傾ける方向によって、その拡大又は縮小する形状が異なるという効果が生じる。
【０１３０】
具体的には、図３７（ｃ）や図３７（ｅ）に示すように、第二の方向（Ｓ２方向）に傾けた場合には、基画像（９’’）は、主として第二の方向（Ｓ２方向）に拡大又は縮小する変化は大きい一方で、第一の方向（Ｓ１）方向に対する変化は小さい。逆に図３７（ｂ）や図３７（ｄ）に示すように、第一方向（Ｓ１方向）に傾けた場合には、基画像（９’’）は、主として第一の方向（Ｓ１方向）に拡大又は縮小する変化は大きい一方で、第二の方向（Ｓ２）方向に対する変化は小さくなる。
【０１３１】
これは、傾ける方向に応じて蒲鉾状画線群（４’’）の正反射する画線表面が移動する割合が相対的に大きくなることに起因する。以上のように、直線で形成された蒲鉾状画線群（４’’）と異なり、第三の実施の形態のように円や曲線で形成した場合、出現する基画像（９’’）の拡大又は縮小の効果は一定方向に限定されるのではなく、それぞれの画線と直交する全ての方向に対して生じることが確認できる。
【０１３２】
最後に第三の実施の形態の潜像印刷物（１’’）の特徴の一つである、正反射光下で出現する基画像（９’’）の拡大又は縮小の効果について、従来の技術との違いを具体的に説明する。図３８に第三の実施の形態の潜像印刷物の拡大又は縮小の効果を示す。第三の実施の形態においては、基画像（９’’）の拡大効果は、画線設計上、基準位置（７’’）（円心）を中心に円心方向の逆方向へと全体が拡大する。
【０１３３】
一方で、引用文献１に記載の従来の技術の場合、図３９（ａ）、（ｂ）に示すように正反射光下で出現する基画像（９’’）は、画線と直交する方向に画像全体が水平移動する。また、引用文献２及び引用文献３に記載の従来の技術の場合、図３９（ｃ）、（ｄ）に示すように本発明の基画像（９’’）と同様に形状が変化するものの、基画像（９’’）のある領域は大きくなり、別の領域は縮小するという効果となり、本発明のような画像全体が拡大したり、縮小したりする効果とは異なり、基画像（９’’）がやや不明確な形状となってしまう。以上のように、基準位置（７’’）を中心に画像全体が拡大したり、縮小したりする効果は本発明の潜像印刷物（１’’）の独自の特徴である。以上が第三の実施の形態の説明である。
【０１３４】
本発明を実施するための形態において、基画像（９）として彩紋を例にして説明したが、これに限定される必要はなく、文字の他に記号、図柄、図柄などでも形成可能である。
【０１３５】
また、本発明を実施するための形態において、印刷画像（３）中に基画像（９）を一つだけ配置した例について説明したが、同時に異なる基画像（９Ｂ）を同じ印刷画像（３）内に配置しても良い。この場合、一方の基画像（９Ａ）が拡大した場合に、もう一方の異なる基画像（９Ｂ）は縮小するといった拡大縮小の効果を逆の関係とすれば、その拡大縮小の効果がより一層引き立つため、望ましい。
【０１３６】
さらに、本発明を実施するための形態において、基画像（９）を拡大又は縮小する効果のみで構成したが、従来の技術と組み合わせて印刷画像（３）中の一部の画像には本発明の拡大又は縮小の効果を、その他の一部には従来の技術の画像全体が画線と直交する一つの方向に移動する効果を付与する等、別々の視覚効果を一つの印刷画像（３）の中に付与しても良い。このような構成は、デザイナーによっては印刷画像（３）中の画像の動きのデザインの自由度が大きく広がるとともに、観察者にとっては、その効果が認識し易くなるため、より望ましい。
【０１３７】
なお、本明細書中で言う正反射とは、物質にある入射角度で光が入射した場合に、入射した光の角度と略等しい角度に強い反射光が生じる現象を指し、拡散反射とは、物質にある入射角度で光が入射した場合に、入射した光の角度と異なる角度に弱い反射光が生じる現象を指す。
【０１３８】
（潜像印刷物の作製方法及び作製用ソフトウェア）
次に、本発明の実施の形態による潜像印刷物（１）における潜像画線群（５）の作製に用いられる装置について、その構成を示した図４０を用いて説明する。この作製装置は、入力部１０１、処理部１０２、記憶部１０３及び出力部１０４を備えている。入力部１０１は、本発明の実施の形態の潜像印刷物（１）の作製に必要なデータを入力し、処理部１０２に与える。処理部１０２は、与えられたデータを記憶部１０３に格納するとともに、潜像印刷物（１）の作製に必要な演算処理及び画像処理等を行い、得られた結果を出力部１０４に与える。出力部１０４は、処理部１０２から与えられたデータを、外部の、例えば、図示されてない印刷機等に出力する。
【０１３９】
このような作製装置を用いて本潜像印刷物（１）における潜像画線群（５）を作製する方法について、その手順を示した図４１を用いて説明する。
【０１４０】
なお、以下の説明では、前述した本発明の潜像印刷物（１）である曲線状の画線群について説明するが、画線群が直線状であってもそのまま適用可能である。また、取り扱う全ての画像データについては、複数の画素により構成されるものとして記載するが、必ずしも画素により構成される必要は無く、画素を持たず連続直線や連続曲線等のベクトル情報で構成された画像であっても良い。
【０１４１】
また、以下の説明では、基画像（９）及び蒲鉾状画線群画像（１５）及び潜像画線群画像（１６）という画像データを使用する。基画像（９）は、実施の形態で記載した通り、潜像画像として出現させたいと作製者が意図する画像のことである。また、蒲鉾状画線群画像（１５）は、潜像印刷物（１）上の蒲鉾状画線群（４）の元になる画像データのことであり、潜像画線群画像（１６）は、潜像印刷物（１）上の潜像画線群（５）の元になる画像データのことである。
【０１４２】
元になる画像データとは、即ち、蒲鉾状画線群画像（１５）により作製した印刷版面を用いて印刷を実施する等の手段により、潜像印刷物（１）上の蒲鉾状画線群（４）の形成が可能であり、また、潜像画線群画像（１６）により作製した印刷版面を用いて印刷を実施する等の手段により、潜像印刷物（１）上の潜像画線群（５）の形成が可能であるという意味である。さらに、以下の説明では、画像データ内の画線に対しても、潜像印刷物（１）上の各種画線と同じ名称を用いる。
【０１４３】
さらに、以下の説明では取り扱う全ての画像データについて、画像内に二つの直行する座標軸を定めるものとし、図４３に示すように画像の左下を原点として右向きの軸をｘ軸、上向きの軸をｙ軸とそれぞれ定める。このとき、取り扱う全ての画像データについて、各画像内の任意の位置をｘ成分及びｙ成分から成る座標を用いて表すことが可能であることから、以下の説明では取り扱う全ての画像データにおいて前記座標を統一的に用いるものとする。よって例えば、異なる画像データにおいて同一の座標を持つ位置同士を「同じ位置」と表現する。
【０１４４】
まずステップＳ１１として、蒲鉾状画線群画像（１５）に関する画像データを作製する。具体的には、所定の画線幅の蒲鉾状画線（６）を複数配列した蒲鉾状画線群（４）から成る蒲鉾状画線群画像（１５）を画像データとして処理部１０２が作製するか、又はあらかじめ作製した蒲鉾状画線群画像（１５）を外部から画像データとして入力部１０１より入力し処理部１０２を介して、記憶部１０３に格納する。
【０１４５】
次に、記憶部１０３に格納された蒲鉾状画線群画像（１５）に対して、処理部１０２においてステップＳ２１の基画像圧縮情報生成を行うことにより、基画像圧縮情報（１３）を得る。基画像圧縮情報（１３）は、ステップＳ３１３の基画像圧縮処理工程において、基画像（９）を圧縮することにより潜像画線群（５）を得る際に、基画像（９）をどの方向に圧縮するか等の圧縮方向に関する情報を持つ。得られた基画像圧縮情報（１３）は、記憶部１０３に格納する。
【０１４６】
次に、ステップＳ１２として、基画像（９）を画像データとして処理部１０２が作製するか、又は外部からあらかじめ作製された画像データとして入力部１０１より入力し、処理部１０２を介して記憶部１０３に格納する。この工程は、ステップＳ３１の潜像画線群形成工程よりも前に実施する。
【０１４７】
ステップＳ３１として、記憶部１０３に格納された基画像（９）及び基画像圧縮情報（１３）及び基準位置（７）を用いて、処理部１０２において潜像画線群形成処理を行う。潜像画線群形成処理により得られた画像は、潜像画線群（５）を含む画像であり、この画像を前述の通り潜像画線群画像（１６）と呼ぶ。本ステップで得られた潜像画線群画像（１６）は、記憶部１０３に格納する。
【０１４８】
ここでいう基準位置（７）とは、実施の形態で記載した基準位置（７）のことであり、基準位置（７）が点状であれば１つの座標点により、線状の場合は座標上の関数又は座標点の集合により表現可能である。基準位置（７）は、潜像画線の作製者が任意に定めるものであるが、例えば、あらかじめ定めた固定の座標点又は線であっても良く、また、例えば蒲鉾状画線群画像（１５）の中心位置のように、蒲鉾状画線群画像（１５）又は基画像（９）の内容から一意に導出可能な座標点又は線であっても良い。
【０１４９】
最後にステップＳ４１として、記憶部１０３に格納された潜像画線群画像（１６）を、処理部１０２を介して出力部１０４へ与えて、潜像画線群（５）を蒲鉾状画線群（４）上に形成するか、あるいは潜像画線群（５）を蒲鉾状画線群（４）上に形成するために必要な、潜像画線群（５）の印刷版面を出力する。
【０１５０】
ステップＳ２１の基画像圧縮情報生成処理工程において、蒲鉾状画線群画像（１５）から基画像圧縮情報（１３）を得る処理方法について、図４２を用いて更に詳細に説明する。
【０１５１】
ステップＳ２１の基画像圧縮情報生成処理工程では、最初に記憶部１０３に格納された蒲鉾状画線群（４）を構成する複数の蒲鉾状画線（６）に対し、ステップＳ２１１の中心線抽出処理により、各蒲鉾状画線（６）から中心線（１４）を抽出して記憶部１０３に格納する。
【０１５２】
ここで蒲鉾状画線（６）の中心線（１４）及び中心線抽出処理について説明する。ここでいう画線の中心線（１４）とは、画線に対して細線化処理を施すか、又は画線の輪郭からの距離が極大となるような位置の集合を抽出することにより、得られる線のことである。中心線（１４）を得るためのこれらの処理方法は、いずれも一般的な画像処理手法であり、例えば、以下の文献において処理方法が詳細に記載されている。この処理を行うことによって、例えば図４４（ａ）で示す蒲鉾状画線群画像（１５）から、図４４（ｂ）に示す中心線（１４）を抽出することができる。
【０１５３】
田村秀行  著、コンピュータ画像処理、オーム社出版局、２００２年発行
【０１５４】
村上伸一  著、画像処理工学  第２版、東京電機大学出版局、２００４年発行
【０１５５】
以下では、図４４（ｂ）に示すような、黒色の画素により構成される中心線（１４）を含む独立した画像を生成するものとして説明を行い、この画像を中心線画像と呼ぶが、中心線の形状を表す情報さえ保持できれば独立した中心線画像は必須では無い。例えば、蒲鉾状画線群画像（１５）内に中心線（１４）の形状情報を記録しても良く、あるいは、前述の通り定められた座標における関数として中心線（１４）の形状情報を保持しても良い。
【０１５６】
次にステップＳ２１２再近傍中心線位置取得処理工程では、処理部１０２において自動で定めた複数の位置（Ｆ１、Ｆ２、…、Ｆｎ（ｎは任意の自然数））の集合である再近傍中心位置取得位置（Ｆ）について、記憶部１０３に格納された中心線（１４）のうち最も近い位置を計算により求める。
【０１５７】
処理部１０２が再近傍中心位置取得位置（Ｆ）の各位置（Ｆ１、Ｆ２、…、Ｆｎ）を自動で定める方法は任意であるが、図４５（ａ）で示すように、記憶部１０３に格納されている蒲鉾状画線群画像（１５）内の全画素の各中心位置を再近傍中心位置取得位置（Ｆ）とすることが通常である。もしも図４５（ｂ）で示すＦ１、Ｆ２、…、Ｆｎ’（ｎ’はｎよりも小さい任意の自然数）のように間隔が広くなるような各位置の定め方をした場合は、図４５（ａ）で示すように、Ｆ１、Ｆ２、…、Ｆｎを定めた場合と比べて、処理部１０２による必要計算量が減少して処理速度が向上するかわりに、後工程のステップＳ３１の潜像画線群形成処理における圧縮方向及び圧縮率の計算誤差が大きくなり、最終的に得られる潜像画線群（５）の形状に影響を与える。
【０１５８】
また、再近傍中心位置取得位置（Ｆ）を自動で定めるに際しては、後工程のステップＳ３１潜像画線群形成処理工程内のステップＳ３１３基画像圧縮処理工程において、圧縮処理を行うことが分かっている領域のみにＦ１、Ｆ２、…、Ｆｎを置くことによって、無駄な計算を省略することが可能である。例えば、後述するように、本作製方法によって生成する潜像画線群（５）における潜像画線（８）の画線形状を、蒲鉾状画線（６）の画線形状と一致するように定めるものとすると、蒲鉾状画線（６）外の位置に対して圧縮処理を行う必要が無くなるため、図４６に示すように、蒲鉾状画線（６）上のみにＦ１、Ｆ２、…、Ｆｎを定めても良い。
【０１５９】
Ｆ１、Ｆ２、…、Ｆｎの各位置について、中心線（１４）のうち最も近い各位置をＱ１、Ｑ２、…、Ｑｎと定義する。このようなＦ１、Ｆ２、…、Ｆｎ及びＱ１、Ｑ２、…、Ｑｎの例を図４７（ａ）に図示する。このときＱ１、Ｑ２、…、Ｑｎの位置を計算により求める方法は特に限定しないが、例えばＦ１、Ｆ２、…、Ｆｎの各位置から中心線（１４）を構成する各画素までの距離を総当たりで全て計算すれば、計算時間はかかるが確実にＱ１、Ｑ２、…、Ｑｎの位置を求めることが可能である。このような総当たりによる方法のほかにも、中心線（１４）の形状を関数として取り扱うことにより数学的にＱ１、Ｑ２、…、Ｑｎを求めても良い。
【０１６０】
Ｆ１、Ｆ２、…、Ｆｎの中の一つであるＦｉ（ｉは１以上、かつ、ｎ以下の自然数）に対して最も近くなるような中心線（１４）上の位置が複数存在する場合、例えば、図４７（ｂ）で例示するように、Ｆｉに対して最も近くなるような中心線（１４）上の位置がＱｉ’とＱｉ’’の二つ存在するような場合の処理は、特に限定するものではないが、例えば、Ｑｉ’とＱｉ’’のいずれか一方をランダム、又はあらかじめ定めた何らかの方法により選択してＱｉとしても良い。あるいは図４７（ｂ）に示すように、ベクトルＦｉＱｉ’にベクトルＦｉＱｉ’’を加えて得られたベクトルをＦｉＱｉと定義することによりＱｉの位置を求めても良い。Ｆｉに対して最も近くなるような中心線（１４）上の位置が３点以上存在する場合も同様である。
【０１６１】
次にステップＳ２１３の基画像圧縮情報変換処理工程では、Ｆ１、Ｆ２、…、Ｆｎ及びＱ１、Ｑ２、…、Ｑｎから、ベクトルＦ１Ｑ１、ベクトルＦ２Ｑ２、…、ベクトルＦｎＱｎを計算した後、Ｆ１とベクトルＦ１Ｑ１、Ｆ２とベクトルＦ２Ｑ２、…、ＦｎとベクトルＦｎＱｎを関連付けて記憶部１０３に格納する。このとき、ベクトルＦ１Ｑ１、ベクトルＦ２Ｑ２、…、ベクトルＦｎＱｎの各ベクトルを基画像圧縮情報（１３）と定義する。
【０１６２】
なお、ここで言う関連付けとは、ステップＳ２１３より後のステップにおいてＦ１の位置を指定して基画像圧縮情報（１３）を参照しようとした場合に、基画像圧縮情報（１３）としてベクトルＦ１Ｑ１を得ることが可能であり、Ｆ２、…、Ｆｎの各位置に対しても同様に基画像圧縮情報（１３）としてベクトルＦ２Ｑ２、…、ベクトルＦｎＱｎを得ることが可能な状態で情報を記憶部１０３に格納するという意味である。
【０１６３】
ステップＳ２１３より後のステップにおいてＦ１、Ｆ２、…、Ｆｎのいずれでもない位置を指定して基画像圧縮情報（１３）を参照した場合に、記憶部１０３に格納されたＦ１、Ｆ２、…、Ｆｎ及びベクトルＦ１Ｑ１、ベクトルＦ２Ｑ２、…、ベクトルＦｎＱｎに対して、処理部１０２において補間処理を行うことによりベクトル情報を得ることが可能となるようなステップを、ステップＳ２１３以降、かつ、ステップＳ３１の潜像画線群形成処理工程以前に設けても良い。このようにして補間処理によって得たベクトルについても、基画像圧縮情報（１３）とする。このときの補間処理としては、画像の一般的な拡大縮小処理方法をそのまま用いることが可能であり、このような処理方法として、例えば、ニアレストネイバー法、バイリニア法、バイキュービック法が一般に知られている。
【０１６４】
なお、例えばステップＳ２１２の基画像圧縮情報変換処理工程においてＦ１及びＱ１が確定した後であれば、ステップＳ２１３の再近傍中心線位置取得処理工程においてＦ１とベクトルＦ１Ｑ１を関連付けて基画像圧縮情報（１３）として記憶部１０３に格納することが可能であることから、必ずしもステップＳ２１２の完全終了後にステップＳ２１３を実施する必要は無い。
【０１６５】
ステップＳ２１の基画像圧縮情報生成処理工程は、以上の一連のステップＳ２１１、Ｓ２１２、Ｓ２１３によって構成されており、これらの処理を行うことにより基画像圧縮情報（１３）が得られる。
【０１６６】
このようにして得た基画像圧縮情報（１３）が、本発明における印刷画像（３）の作製において果たす役割について説明する。
【０１６７】
前述のとおりＦ１、Ｆ２、…、Ｆｎの各位置について、中心線（１４）のうち最も近い各位置をＱ１、Ｑ２、…、Ｑｎと定義していることから、初等幾何によれば、直線Ｆ１Ｑ１、直線Ｆ２Ｑ２、…、直線ＦｎＱｎは、いずれも中心線（１４）と直交することがわかる。よって蒲鉾状画線（６）の方向を、同蒲鉾状画線（６）から得られた中心線（１４）の方向と同一として定義すると、直線Ｆ１Ｑ１、直線Ｆ２Ｑ２、…、直線ＦｎＱｎは、いずれも蒲鉾状画線（６）に直交する。
【０１６８】
さらに本作製方法によって生成する潜像画線（８）（非反転画線（８Ａ）、反転画線（８Ｂ）、非反転画線セット（８Ａ’）及び反転画線セット（８Ｂ’））の画線形状を、蒲鉾状画線（６）の画線形状と一致するように定めるものとすると、直線Ｆ１Ｑ１、直線Ｆ２Ｑ２、…、直線ＦｎＱｎは、いずれも蒲鉾状画線（６）の方向、すなわち潜像画線（８）の画線方向に対して直交する。
【０１６９】
実施の形態で記載した通り、本発明において非反転画線（８Ａ）及び反転画線（８Ｂ）は、基画像（９）を部分的に取り出して蒲鉾状画線（６）の画線方向と直交する方向に沿って圧縮した構造を有することから、この画像方向と直交する圧縮は、直線Ｆ１Ｑ１、直線Ｆ２Ｑ２、…、直線ＦｎＱｎと同一方向に沿って行われることになる。
【０１７０】
記憶部１０３に格納された基画像圧縮情報（１３）の形式は、直線Ｆ１Ｑ１、直線Ｆ２Ｑ２、…、直線ＦｎＱｎと同等の情報を含んでいれば形式は問わないことから、ここでは前述の通り、Ｆ１、Ｆ２、…、Ｆｎの位置情報とベクトルＦ１Ｑ１、ベクトルＦ２Ｑ２、…、ベクトルＦｎＱｎを関連付けて基画像圧縮情報（１３）を格納するものとして説明を行っている。
【０１７１】
以上の理由により、本発明における印刷画像（３）の作製に際して、位置毎の画像圧縮方向を決める情報として基画像圧縮情報（１３）が必要となる。
【０１７２】
次に、ステップＳ３１の潜像画線群形成処理工程において、基画像圧縮情報（１３）、基画像（９）及び基準位置（７）から潜像画線群（５）を生成する方法について、図４８を用いて、さらに詳細に説明する。
【０１７３】
ここで、新たに生成した潜像画線群（５）を格納するための画像として、蒲鉾状画線群画像（１５）とｘ方向の画素数が同一、かつ、ｙ方向の画素数が同一となるような潜像画線群画像（１６）を、処理部１０２において自動で生成して記憶部１０３に格納するものとする。また、生成時の潜像画線群画像（１６）は、画線を全く含まないものとする。ここでは取り扱う全ての画像において画線の色は黒色であるものとして説明を行うため、このときの生成時の潜像画線群画像（１６）は、白色の画素のみで構成される。さらに、潜像画線群画像（１６）の四隅の座標位置は、それぞれ蒲鉾状画線群画像（１５）の四隅の各座標位置と同じであるものとして説明を行う。
【０１７４】
また、ステップＳ３１の潜像画線群形成処理を行う際は、あらかじめ圧縮係数ｋが入力部１０１により作製装置外から入力され記憶部１０３に格納されているものとする。ただし圧縮係数ｋは正または負の数であり、０ではないものとする。より好ましくは、ｋは、−１よりも大きく、かつ、１よりも小さい、０以外の数である。
【０１７５】
ステップＳ３１１の基画像圧縮位置判定処理工程では、潜像画線群画像（１６）を構成する任意の画素について、同画素が存在する位置を指定して基画像圧縮情報（１３）を得た後、基画像圧縮情報（１３）及び基準位置（７）を用いて以下の判定を行う。
【０１７６】
以下の説明では、潜像画線群画像（１６）を構成する前述の任意の画素が存在する位置をＦｉとし、中心線（１４）のうちＦｉに最も近い位置Ｑｉは、前記基画像圧縮情報（１３）から得ているものとする。さらに基準位置（７）をＲとする。このときのＦｉ、Ｑｉ、Ｒの各ｘｙ座標を、Ｆｉ＝（ＸＰｉ，ＹＰｉ）、Ｑｉ＝（ＸＱｉ，ＹＱｉ）、Ｒ＝（ＸＲ，ＹＲ）と表記する。なお、基準位置（７）Ｒは、ステップ３１１における処理の途中で変更されることは無い。
【０１７７】
第一の実施の形態を実施する際のステップ３１１における判定処理は、前述の位置Ｆｉが、前述の第１の領域と第２の領域のいずれの領域内であるかを単純に判定すれば良い。第二の実施の形態又は第三の実施の形態を実施する際のステップ３１１における判定処理については、以下、さらに詳細に説明する。以下では基準位置（７）が点状であるものとして説明を進めるが、基準位置（７）が線状の場合は、線状の基準位置（７）上において位置Ｆｉとの距離が最短となるような位置をＲ’として、説明文中の位置Ｒを位置Ｒ’へと読み替えれば良い。またこの場合、線状の基準位置（７）Ｒ自体はステップ３１１における処理の途中で変更されることは無いが、位置Ｒ’は位置Ｆｉに対応して位置が変化する。
【０１７８】
第一の実施の形態では、線状の基準位置（７）を境界として潜像画線群画像（１６）を第１の領域と第２の領域に区分けし、一方の領域に非反転画線群（５Ａ）か反転画線群（５Ｂ）を配置し、他方の領域に反転画線群（５Ｂ）か非反転画線群（５Ａ）を配置する。また、第二の実施の形態及び第三の実施の形態では、蒲鉾状画線（６）の画線中心を基準として、この画線中心から線状又は点状の基準位置（７）に近い側に非反転画線（８Ａ）か、反転画線（８Ｂ）のいずれか一方のみを配置し、この画線中心から基準位置（７）に遠い側にもう一方の反転画線（８Ｂ）か、非反転画線（８Ａ）のいずれか一方のみを配置する。
【０１７９】
第二の実施の形態及び第三の実施の形態でいう画線中心から基準位置（７）に近い側とは、図４９（ａ）に示すように、位置Ｒと位置Ｑｉの間の距離が、位置Ｒと位置Ｆｉの間の距離よりも長くなるような位置Ｆｉの集合のことであり、この条件を数式で表記すると数式１となる。また、画線中心から基準位置（７）に遠い側とは、図４９（ｂ）に示すように、位置Ｒと位置Ｑｉの間の距離が、位置Ｒと位置Ｆｉの間の距離よりも短くなるような位置Ｆｉの集合のことであり、この条件を数式で表記すると数式２となる。なお、数式１及び数式２においては、ユークリッド距離同士を比較する代わりにユークリッド距離の２乗同士を比較しているが、どちらの比較であっても判定結果に違いは無い。
【０１８０】
（数式１）
（ＸＲ−ＸＱｉ）２＋（ＹＲ−ＹＱｉ）２＞（ＸＲ−ＸＦｉ）２＋（ＹＲ−ＹＦｉ）２
【０１８１】
（数式２）
（ＸＲ−ＸＱｉ）２＋（ＹＲ−ＹＱｉ）２＜（ＸＲ−ＸＦｉ）２＋（ＹＲ−ＹＦｉ）２
【０１８２】
よって、ステップＳ３１１の基画像圧縮位置判定処理工程では、潜像画線群画像（１６）を構成する前述の任意の画素が存在する位置Ｆｉに対して、数式１と数式２のどちらの条件に当てはまるかの判定処理を行う。数式１と数式２のどちらの条件も満たさない場合、即ち位置Ｒと位置Ｑｉの間の距離が、位置Ｒと位置Ｆｉの間の距離と等しい場合の判定結果については、ランダム又はあらかじめ定めた何らかの方法により、数式１又は数式２のいずれか一方の条件を満たすものとして処理する。
【０１８３】
なお、距離の判定は必ずしも数式１及び数式２を使用する必要は無く、判定速度の高速化等の理由により、近似的な別の判定式を用いても良い。このような近似的な判定式の例として、位置Ｒと位置Ｆｉと位置Ｑｉが作る三角形において、頂点Ｆｉの内角が鋭角か鈍角かにより判定する方法が挙げられる。
【０１８４】
数式１の条件が満たされる場合、概ねの場合で図４９（ａ）に示すようにＦｉの内角は鈍角となり、数式２の条件が満たされる場合、概ねの場合で図４９（ｂ）に示すようにＦｉの内角は鋭角となる。ここで言う概ねの場合とは、より正確には、位置Ｒと位置Ｆｉの間の距離が、位置Ｆｉと位置Ｑｉの間の距離よりも十分に大きい場合である。位置ＲはステップＳ３１１において定点であり位置Ｆｉは任意の位置であるのに対して、位置Ｑｉは中心線（１４）のうち位置Ｆｉに最も近い位置と定義されていることから、位置Ｆｉが位置Ｒの近傍となるような一部領域を除けば、この近似的な判定によっても妥当な判定結果が得られる。この近似的な判定では、ベクトルＦｉＲとベクトルＦｉＱｉの内積を用いた数式３及び数式４を、それぞれ数式１及び数式２の代わりに使用すれば良い。
【０１８５】
（数式３）
（ＸＲ−ＸＦｉ）×（ＸＱｉ−ＸＦｉ）＋（ＹＲ−ＹＦｉ）×（ＹＱｉ−ＹＦｉ）＜０
【０１８６】
（数式４
（ＸＲ−ＸＦｉ）×（ＸＱｉ−ＸＦｉ）＋（ＹＲ−ＹＦｉ）×（ＹＱｉ−ＹＦｉ）＞０
【０１８７】
また、数式１及び数式２ではユークリッド距離の２乗同士を比較しているが、数学的な距離の定義を満たしていれば、比較に使用する距離は必ずしもユークリッド距離でなくとも良い。例えば、マンハッタン距離を用いて距離の比較を行う場合、判定に使用する式は、数式５及び数式６となる。
【０１８８】
（数式５）
｜ＸＲ−ＸＱｉ｜＋｜ＹＲ−ＹＱｉ｜＞｜ＸＲ−ＸＦｉ｜＋｜ＹＲ−ＹＦｉ｜
【０１８９】
（数式６）
｜ＸＲ−ＸＱｉ｜＋｜ＹＲ−ＹＱｉ｜＜｜ＸＲ−ＸＦｉ｜＋｜ＹＲ−ＹＦｉ｜
【０１９０】
次に、ステップＳ３１２の使用圧縮係数選択処理工程では、ステップＳ３１１の基画像圧縮位置判定処理工程における判定結果に応じて、圧縮係数ｋ又は圧縮係数に−１を乗じて得られる値−ｋの一方を選択する。ここで選択した圧縮係数を、選択圧縮係数と呼ぶ。
【０１９１】
具体的には、第一の実施の形態を実施する場合であれば、第１の領域内と判定された位置に対しては、選択圧縮係数としてｋを選択し、また、第２の領域内と判定された位置に対しては、選択圧縮係数として−ｋを選択する。あるいは、第１の領域内と判定された位置に対しては、選択係数として−ｋを選択し、第２の領域内と判定された位置に対しては、選択圧縮係数としてｋを選択する。第二の実施の形態又は第三の実施の形態を実施する場合であれば、画線中心から基準位置（７）に近いと判定された位置に対しては選択圧縮係数としてｋを選択し、画線中心から基準位置（７）に遠いと判定された位置に対しては選択圧縮係数として−ｋを選択する。あるいは、画線中心から基準位置（７）に近いと判定された位置に対しては選択圧縮係数として−ｋを選択し、画線中心から基準位置（７）に遠いと判定された位置に対しては選択圧縮係数としてｋを選択する。ステップＳ３１１の判定結果に応じた圧縮係数の選択ルールは前述のどちらであっても良いが、ステップＳ３１２の処理中に選択ルールを変更することは無い。
【０１９２】
ステップＳ３１３の基画像圧縮処理工程では、潜像画線群画像（１６）を構成する任意の画素について、同画素が存在する位置と、同画素が存在する位置を指定して得られた基画像圧縮情報（１３）と、同画素が存在する位置に対してステップＳ３１２の使用圧縮係数選択処理工程で選択された選択圧縮係数ｋ又は−ｋを用いて後述のとおり計算を行うことによって、参照位置を得る。
【０１９３】
次に、潜像画線群画像（１６）を構成する前述の画素が有する色情報を、基画像（９）内において前述の参照位置にある画素の色情報により上書きする。ただし、ここで言う色情報とは、一般的なデジタル画像において画素が持つ明るさ及び／又は色彩を表す数値情報のことであり、一般には、０〜２５５の数値で表わされる赤、緑、青の各成分又はシアン、マゼンタ、イエロー、ブラックの各成分によって構成される情報のことである。
【０１９４】
もしも前述の参照位置に基画像（９）の画素が存在しない場合、すなわち、参照位置が基画像（９）の範囲外となるような場合の処理方法は、特に限定するものではないが、この場合、参照位置の基画像（９）の色情報を非画線色である白色であるものとみなして処理を行うことが望ましい。
【０１９５】
ステップＳ３１３の基画像圧縮処理工程における上述の処理を、潜像画線群画像（１６）を構成する画素のうち、潜像画線（８）内の位置に存在する全ての画素に対して行うことにより、潜像画線群画像（１６）の中に潜像画線群（５）が形成される。潜像画線（８）（非反転画線（８Ａ）、反転画線（８Ｂ）、非反転画線セット（８Ａ’）及び反転画線セット（８Ｂ’））の形状は、ステップＳ１１で入力した蒲鉾状画線群画像（１５）内の蒲鉾状画線（６）の画線形状を、そのまま潜像画線（８）の形状として用いても良いし、入力部１０１によりあらかじめ作製装置外から入力しておいても良い。
【０１９６】
潜像画線群画像（１６）を構成する任意の画素について、同画素が存在する位置をＦｉとし、位置Ｆｉを指定して得られる基画像圧縮情報（１３）をベクトルＦｉＱｉとし、同画素が存在する位置に対してステップＳ３１２の使用圧縮係数選択処理工程で選択された選択圧縮係数をｋ又は−ｋとしたときに、前述の位置Ｆｉ、ベクトルＦｉＱｉ及び選択圧縮係数ｋ又は−ｋから計算により参照位置Ｆｉ’を求める方法を説明する。
【０１９７】
まず、ステップＳ３１２の使用圧縮係数選択処理工程において、位置Ｆｉにおける選択圧縮係数としてｋが選択された場合を説明する。
【０１９８】
このとき計算により求めたい参照位置Ｆｉ’は、ベクトルＱｉＦｉ’とベクトルＱｉＦｉと選択圧縮係数ｋを用いて次式で表わされる。ただし、ベクトルＱｉＦｉは位置Ｑｉから位置Ｆｉに向かうベクトルのことであり、ベクトルＦｉＱｉを逆向きにしたベクトルのことであり、数学的にはベクトルＦｉＱｉに−１を乗ずることでベクトルＱｉＦｉが得られる。
【０１９９】
所謂、ｋ×（ベクトルＱｉＦｉ’）＝ベクトルＱｉＦｉ＝−（ベクトルＦｉＱｉ）の関係が成り立つこととなる。
【０２００】
前式左側の等号は、ベクトルＱｉＦｉは、ベクトルＱｉＦｉ’をｋ倍に圧縮又は引き延ばしたベクトルに等しいということを表している。ｋが−１よりも大きく、かつ、１よりも小さい、０以外の数である場合、ベクトルＱｉＦｉは、ベクトルＱｉＦｉ’をｋ倍に圧縮したベクトルである。図５０は、ベクトルＱｉＦｉ’とベクトルＱｉＦｉとの対応関係の例を示した図であり、同一形状の中心線（１４）及び同一位置のＦｉ及びＱｉに対して、ｋが０より大きい場合の例を図５０（ａ）に、ｋが０より小さい場合の例を図５０（ｂ）に示す。
【０２０１】
このとき前述のとおり直線ＦｉＱｉは中心線（１４）の方向に対して直交していることから、ｋが０よりも大きい場合は、図５０（ｂ）に例示したように、任意の画像を、中心線（１４）を中心に、中心線（１４）と直交する方向へｋ倍に圧縮した場合、圧縮前に位置Ｆｉ’にあった画素は、圧縮後には位置Ｆｉへと移動している。またｋが０よりも小さい場合は図５０（ｂ）に例示したように、任意の画像を中心線（１４）に対してミラー反転して鏡像化した後に、この鏡像化した画像を、中心線（１４）を中心に、中心線（１４）と直交する方向へ−ｋ倍に圧縮した場合、ミラー反転及び圧縮前に位置Ｆｉ’にあった画素は、ミラー反転及び圧縮後には位置Ｆｉへと移動している。
【０２０２】
よって、基画像（９）内の参照位置Ｆｉ’にある画素の色情報で、潜像画線群画像（１６）内の位置Ｆｉの画素の色情報を上書きする処理を行うことで、ｋが０より大きい場合には、基画像（９）に対して前述の圧縮処理を施して潜像画線群画像（１６）内に格納したのと同等の効果が得られ、ｋが０より小さい場合には基画像（９）に対して前述のミラー反転及び圧縮処理を施して潜像画線群画像（１６）内に格納したのと同等の効果が得られる。さらに潜像画線群画像（１６）内において潜像画線（８）内の位置に存在する全ての画素について、各画素の位置を位置Ｆｉとして上記処理を実施することにより、潜像画線群画像（１６）内に潜像画線群（５）が形成される。
【０２０３】
次に、ステップＳ３１２の使用圧縮係数選択処理工程において、位置Ｆｉにおける選択圧縮係数として−ｋが選択された場合を説明するが、この場合は選択圧縮係数としてｋが選択された場合と比べ、選択圧縮係数の符号が変わっただけなので、上記と同様の議論が成立する。
【０２０４】
その結果、ｋが０より小さい場合には基画像（９）に対して前述の圧縮処理を施して潜像画線群画像（１６）内に格納したのと同等の効果が得られ、ｋが０より大きい場合には基画像（９）に対して前述のミラー反転及び圧縮処理を施して潜像画線群画像（１６）内に格納したのと同等の効果が得られる。つまり、選択圧縮係数としてｋが選択された場合と−ｋが選択された場合では、一方には圧縮処理のみが施され、他方にはミラー反転処理及び圧縮処理が施される。
【０２０５】
以上のステップＳ３１１乃至ステップＳ３１３を実施することにより、第一の実施の形態を実施する際には、線状の基準位置（７）を境界として区分けされた潜像画線群画像（１６）内の第１の領域と第２の領域のうち、一方の領域には、非反転画線群（５Ａ）か、反転画線群（５Ｂ）のいずれか一方のみに相当する画線が形成され、他方の領域には、もう一方の反転画線群（５Ｂ）か、非反転画線群（５Ａ）に相当する画線が形成される。また、第二の実施の形態又は第三の実施の形態を実施する際には、各蒲鉾状画線（６）の画線中心を基準として、この画線中心から基準位置（７）に近い側に非反転画線（８Ａ）か、反転画線（８Ｂ）のいずれか一方のみに相当する画像が形成され、この画線中心から基準位置（７）に遠い側にもう一方の反転画線（８Ｂ）か、非反転画線（８Ａ）のいずれか一方のみに相当する画像が形成される。
【０２０６】
なお、非反転画線（８Ａ）の縮率と反転画線（８Ｂ）の縮率の値が異なる場合、ステップＳ３１２の使用圧縮係数選択処理工程において選択圧縮係数としてｋ又は−ｋの一方を選ぶかわりに、選択圧縮係数としてｋ１又はｋ２の一方を選ぶ。ただしこの場合、ｋ１及びｋ２はいずれもあらかじめ入力部１０１により作製装置外から入力され記憶部１０３に格納されている必要があり、さらにｋ１とｋ２のうち一方は正の数であり、他方は負の数である必要がある。より好ましくは、ｋ１及びｋ２はいずれも、さらに絶対値が１よりも小さい数である。
【０２０７】
また、実施の形態で記載したように、非反転画線（８Ａ）の縮率と反転画線（８Ｂ）の縮率の値を、基準位置（７）からの距離に応じた値とする場合は、ステップＳ３１２の使用圧縮係数選択処理工程において、任意の位置Ｆｉにおける選択圧縮係数としてｋ又は−ｋの一方を選ぶ際にはｋ及び−ｋに、ｋ１又はｋ２の一方を選ぶ際にはｋ１及びｋ２に、基準位置（７）からの距離に応じた補正を加えた後に選択圧縮係数とする。ただし前記補正において、補正前の値の正負と、補正後の値の正負とは一致しなければならない。
【０２０８】
このとき、ｋ及び−ｋに、又はｋ１及びｋ２に、基準位置（７）からの距離に応じた補正を加えて得られた値を各ｋ３及びｋ４とすると、ｋ３とｋ４のうち正の値の方が非反転画線（８Ａ）の縮率であり、ｋ３とｋ４のうち負の値の方の絶対値が反転画線（８Ｂ）の縮率の値である。非反転画線（８Ａ）の縮率及び反転画線（８Ｂ）の縮率に関する望ましい条件は、実施の形態で記載した通りである。
【０２０９】
最後にステップＳ４１の潜像画線群出力処理工程において、潜像画線群（５）を含んだ潜像画線群画像（１６）を出力部（１０４）で出力する。
【０２１０】
以上のステップを実施することで、潜像画線群（５）を含んだ潜像画線群画像（１５）が得られる。
【０２１１】
以下、前述の発明を実施するための形態にしたがって、具体的に作製した潜像印刷物（１）の実施例について詳細に説明するが、本発明は、この実施例に限定されるものではない。
【実施例１】
【０２１２】
第一の実施の形態で用いた図で説明する。図１に、本発明の潜像印刷物（１）を示す。潜像印刷物（１）は、基材（２）上に、灰色の印刷画像（３）を備える。基材（２）は、一般的な白色コート紙（日本製紙製）を用いた。印刷画像（３）は、拡散反射光下では灰色に視認される色彩で構成した。
【０２１３】
図２に印刷画像（３）の構成の概要を示す。印刷画像（３）は、蒲鉾状画線群（４）と潜像画線群（５）を重ねて構成した。印刷画像（３）の積層構造は、蒲鉾状画線群（４）の上に潜像画線群（５）が重なる構造とした。基画像（９）は、彩紋とした。
【０２１４】
蒲鉾状画線群は、図３に示すように、それぞれの直線の複数の蒲鉾状画線（６）によって構成した。この形状については、第一の実施の形態と同じであるため説明を省略する。画線幅は０．３０ｍｍ、画線ピッチは０．４ｍｍとした。
【０２１５】
以上のような構成の蒲鉾状画線群（４）を、表１に示すＵＶ乾燥型のスクリーンインキを用いて、スクリーン印刷によって基材（２）に印刷した。表１に示すインキは、拡散反射光下では着色顔料の色である灰色に見え、正反射光下では明度が上昇して白色に見える、優れた明暗フリップフロップ性を備えたインキである。このインキによって形成した蒲鉾状画線（６）の盛り上がり高さは約１５μｍであった。
【０２１６】
【表１】
0006418577.tif 000002
【０２１７】
潜像画線群（５）は、図４に示すように、それぞれの蒲鉾状画線（６）と対を成す、直線形状の非反転画線群（５Ａ）及び反転画線群（５Ｂ）によって構成した。この形状と作製方法については第一の実施の形態と同じであるため、説明を省略する。それぞれの非反転画線（８Ａ）及び反転画線（８Ｂ）の縮率は同じ０．０８とし、潜像画線幅を０．３８ｍｍ、画線ピッチは０．４ｍｍとした。
【０２１８】
以上の構成の潜像画線群（１）を透明なマットインキ（マットメジウム  Ｔ＆Ｋ  ＴＯＫＡ製）を用いてウェットオフセット印刷方式で、それぞれ対を成す蒲鉾状画線（６）と非反転画線（８Ａ）及び反転画線（８Ｂ）の画線中心が完全に重なり合う関係で蒲鉾状画線群（４）と潜像画線群（５）を重ね合わせて、潜像印刷物（１）を形成した。
【０２１９】
以上の手順で作製した本発明の潜像印刷物（１）の効果について説明する。図１１に、本発明の効果を示す。印刷画像（１）に強い光が入射しない拡散反射光下においては、潜像画像である基画像（９）は不可視であり、単に印刷画像（３）のみが灰色で視認できた（図示せず）。一方の正反射光下においては、印刷画像（３）全体が白色の反射光を発する中に、基画像（９）が灰色で出現した。
【０２２０】
図１７（ａ）、（ｂ）、（ｃ）に示すように、入射する光に対して潜像印刷物（１）の傾きを変えて観察することによって、印刷画像（３）中の基画像（９）の形状が変化し、基画像（９）が基準位置（７）を中心に拡大しているように見えた。以上のように作製した潜像印刷物（１）には所望の効果が備わっていることが確認できた。
【符号の説明】
【０２２１】
１、１’、１’’          潜像印刷物
２，２’、２’’          基材
３、３’、３’’          印刷画像
４、４’、４’’          蒲鉾状画線群
５、５’、５’’          潜像画線群
５Ａ、５Ａ’、５Ａ’’    非反転画線群
５Ａ−１’              第一の非反転画線群
５Ａ−２’              第一の反転画線群
５Ｂ、５Ｂ’、５Ｂ’’    反転画線群
５Ｂ−１’              第二の反転画線群
５Ｂ−２’              第二の非反転画線群
６、６’６’’           蒲鉾状画線
７、７’７’’           基準位置
８、８’、８’’          潜像画線
８Ａ、８Ａ’’           非反転画線
８Ａ’                  非反転画線セット
８Ａ−１’              第一の非反転画線
８Ａ−２’              第一の反転画線
８Ｂ、８Ｂ’’           反転画線
８Ｂ’                  反転画線セット
８Ｂ−１’              第二の反転画線
８Ｂ−２’              第二の非反転画線
９、９’、９’’          基画像
１０、１０’            フレーム
１１、１１’、１１’’    光源
１２、１２’、１２’’    観察者の視点
１３                    基画像圧縮情報
１４                    中心線
１５                    蒲鉾状画線群画像
１６                    潜像画線群画像
【図１】
0006418577.tif 000003
【図２】
0006418577.tif 000004
【図３】
0006418577.tif 000005
【図４】
0006418577.tif 000006
【図５】
0006418577.tif 000007
【図６】
0006418577.tif 000008
【図７】
0006418577.tif 000009
【図８】
0006418577.tif 000010
【図９】
0006418577.tif 000011
【図１０】
0006418577.tif 000012
【図１１】
0006418577.tif 000013
【図１２】
0006418577.tif 000014
【図１３】
0006418577.tif 000015
【図１４】
0006418577.tif 000016
【図１５】
0006418577.tif 000017
【図１６】
0006418577.tif 000018
【図１７】
0006418577.tif 000019
【図１８】
0006418577.tif 000020
【図１９】
0006418577.tif 000021
【図２０】
0006418577.tif 000022
【図２１】
0006418577.tif 000023
【図２２】
0006418577.tif 000024
【図２３】
0006418577.tif 000025
【図２４】
0006418577.tif 000026
【図２５】
0006418577.tif 000027
【図２６】
0006418577.tif 000028
【図２７】
0006418577.tif 000029
【図２８】
0006418577.tif 000030
【図２９】
0006418577.tif 000031
【図３０】
0006418577.tif 000032
【図３１】
0006418577.tif 000033
【図３２】
0006418577.tif 000034
【図３３】
0006418577.tif 000035
【図３４】
0006418577.tif 000036
【図３５】
0006418577.tif 000037
【図３６】
0006418577.tif 000038
【図３７】
0006418577.tif 000039
【図３８】
0006418577.tif 000040
【図３９】
0006418577.tif 000041
【図４０】
0006418577.tif 000042
【図４１】
0006418577.tif 000043
【図４２】
0006418577.tif 000044
【図４３】
0006418577.tif 000045
【図４４】
0006418577.tif 000046
【図４５】
0006418577.tif 000047
【図４６】
0006418577.tif 000048
【図４７】
0006418577.tif 000049
【図４８】
0006418577.tif 000050
【図４９】
0006418577.tif 000051
【図５０】
0006418577.tif 000052